(57)【要約】【課題】低減した吸入リスクを有する抗微生物組成物を提供する。【解決手段】本発明は、アンモニウム化合物と、任意の酸成分、界面活性剤、および／または追加の機能性成分と組み合わされたポリマーと、を組み合わせることによって、低減した吸入リスクを有する抗微生物組成物を提供する。低減した吸入のリスクを有する抗微生物組成物。組成物の作製および使用方法が開示される。【選択図】なし【特許請求の範囲】
【請求項１】
殺菌剤、消毒剤、抗微生物化合物、またはそれらの組み合わせを含む洗浄成分と、
ポリマー成分であって、前記ポリマーが、高分子量カチオン性、非イオン性、またはアニオン性ポリマーである、ポリマー成分と、を含む、濃縮洗浄組成物。
【請求項２】
前記洗浄成分が、第４級アンモニウム化合物、酸消毒剤、酸化剤、アミン、またはそれらの組み合わせである、請求項１に記載の洗浄組成物。
【請求項３】
前記ポリマー成分が、逆エマルジョンポリマー、分散ポリマー、粉末ポリマー、キサンタンガム、またはそれらの組み合わせである、請求項１又は２に記載の洗浄組成物。
【請求項４】
前記洗浄成分が、第４級アンモニウム化合物であり、前記ポリマー成分が、高分子量カチオン性もしくはアニオン性逆エマルジョンポリマー、高分子量カチオン性もしくはアニオン性分散ポリマー、または高分子量カチオン性もしくはアニオン性粉末ポリマーである、請求項１〜３のいずれか一項に記載の洗浄組成物。
【請求項５】
前記洗浄成分が、酸消毒剤であり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、請求項１〜３のいずれか一項に記載の洗浄組成物。
【請求項６】
前記洗浄成分が、酸化剤であり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、請求項１〜３のいずれか一項に記載の洗浄組成物。
【請求項７】
前記洗浄成分が、アミンであり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、請求項１〜３のいずれか一項に記載の洗浄組成物。
【請求項８】
前記ポリマー成分が、１００万Ｄａ〜２５００万Ｄａの分子量、０．１〜１０ミクロンの範囲の粒径、および５０〜５０００ｃＰｓの粘度を有する、請求項１〜７のいずれか一項に記載の洗浄組成物。
【請求項９】
酸成分をさらに含み、前記酸成分が、約０．１重量％〜約３０重量％の量で存在し、前記酸成分が、洗浄組成物が０〜６のｐＨを有するようなｐＨ制御を提供する、請求項１〜８のいずれか一項に記載の洗浄組成物。
【請求項１０】
少なくとも１つのアニオン性界面活性剤、非イオン性界面活性剤、両性界面活性剤、またはそれらの組み合わせをさらに含み、前記少なくとも１つの界面活性剤が、約０．１重量％〜約３０重量％の量で存在する、請求項１〜９のいずれか一項に記載の洗浄組成物。
【請求項１１】
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含む、請求項１〜１０のいずれか一項に記載の洗浄組成物。
【請求項１２】
前記組成物が、低減した吸入リスクを提供しながら、処理された表面上で少なくとも４ｌｏｇの殺滅を提供する、請求項１〜１１のいずれか一項に記載の洗浄組成物。
【請求項１３】
前記組成物が、低減した吸入リスクを提供し、前記組成物の中央粒径が、約１１ミクロン以上である、請求項１〜１２のいずれか一項に記載の洗浄組成物。
【請求項１４】
以下の式を有する第４級アンモニウム化合物であって、
【化１】
2022000512.tif 000019
式中、Ｒ１、Ｒ２、Ｒ３、およびＲ４基が、各々Ｃ２０未満の鎖長を有し、Ｘ−が、アニオン性対イオンである、第４級アンモニウム化合物と、
高分子量カチオン性または非イオン性ポリマーである、ポリマー成分と、を含む、洗浄組成物であって、
すぐに使える溶液または水溶性濃縮物のいずれかであり、約０〜約６のｐＨを有する、洗浄組成物。
【請求項１５】
前記第４級アンモニウム化合物が、モノアルキルトリメチルアンモニウム塩、モノアルキルジメチルベンジルアンモニウム塩、ジアルキルジメチルアンモニウム塩、ヘテロ芳香族アンモニウム塩、多置換第４級アンモニウム塩、ビス第４級アンモニウム塩、ポリマー第４級アンモニウム塩、およびそれらの組み合わせからなる群から選択される、請求項１４に記載の洗浄組成物。
【請求項１６】
前記第４級アンモニウム化合物が、約１重量％〜約５０重量％の量で存在する、請求項１４又は１５に記載の洗浄組成物。
【請求項１７】
前記ポリマー成分が、１００万Ｄａ〜２５００万Ｄａの分子量、０．１〜１０ミクロンの範囲の粒径、および５０〜５０００ｃＰｓの粘度を有する、請求項１４〜１６のいずれか一項に記載の洗浄組成物。
【請求項１８】
前記ポリマー成分が、アクリルアミド、メタクリルアミド、アクリル酸もしくはその塩、Ｎ−ｔ−ブチルアクリルアミドスルホン酸（ＡＴＢＳ）もしくはその塩、アクリルアミド第３級ブチルスルホン酸もしくはその塩、２−（アクリロイルオキシ）−Ｎ，Ｎ，Ｎ−トリメチルエタンアンミニウム（ＤＭＡＥＡ．ＭＣＱ）、ジアリルジメチルアンモニウムクロリド、ジメチルアミノエチルアクリレートメチルクロリド第４級塩、アクリルアミドプロピルトリメチルアンモニウムクロリド、ジメチルアミノエチルメタクリレートメチルクロリド第４級塩、メタクリルアミドプロピルトリメチルアンモニウムクロリド、またはそれらの組み合わせである、請求項１４〜１７のいずれか一項に記載の洗浄組成物。
【請求項１９】
酸成分をさらに含み、前記酸成分が、約０．１重量％〜約３０重量％の量で存在し、洗浄組成物が０〜６のｐＨを有するようなｐＨ制御を提供する、請求項１４〜１８のいずれか一項に記載の洗浄組成物。
【請求項２０】
少なくとも１つのアニオン性界面活性剤、非イオン性界面活性剤、両性界面活性剤、またはそれらの組み合わせをさらに含み、前記少なくとも１つの界面活性剤が、約０．１重量％〜約３０重量％の量で存在する、請求項１４〜１９のいずれか一項に記載の洗浄組成物。
【請求項２１】
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含む、請求項１４〜２０のいずれか一項に記載の洗浄組成物。
【請求項２２】
前記組成物が、低減した吸入リスクを提供しながら、処理された表面上で少なくとも４ｌｏｇの殺滅を提供する、請求項１４〜２１のいずれか一項に記載の洗浄組成物。
【請求項２３】
前記組成物が、低減した吸入リスクを提供し、前記組成物の中央粒径が、約１１ミクロン以上である、請求項１４〜２２のいずれか一項に記載の洗浄組成物。
【請求項２４】
微生物を殺滅する方法であって、
基材に請求項１〜２３のいずれか一項に記載の洗浄組成物を適用することを含み、
前記組成物が、低減した吸入リスクを提供しながら、処理された表面上で少なくとも４ｌｏｇの殺滅を提供する、方法。
【発明の詳細な説明】
【技術分野】
【０００１】
関連出願の相互参照
本出願は、米国特許法第１１９条下で、その全体が本明細書に参照により組み込まれる、２０１７年３月１日に提出された米国仮特許出願第６２／４６５，４８３号に対する優先権を主張する。
【０００２】
本発明は、洗浄、消毒、および殺菌のための水性組成物の分野に関する。いくつかの実施形態では、抗微生物第４級アンモニウム化合物は、ポリマー成分と組み合わせて提供され、消毒、殺菌、および／または抗微生物特性と相まって低減した吸入リスクを有する組成物を提供する。他の態様では、抗微生物第４級アンモニウム化合物は、界面活性剤成分、ポリマー成分、および追加の機能性成分と組み合わせて提供される。特に、組み合わせは、界面活性剤または第４級アンモニウム化合物のいずれか単独と比較して、高められた抗微生物活性および低減した吸入リスクを提供する。有益には、本発明によると、特定の使用の用途に応じて洗浄組成物が提供される。
【背景技術】
【０００３】
抗微生物薬は、製品、材料、および媒質（水プロセス流など）、ならびにシステムの微生物学的汚染および劣化を防止するために使用される化学組成物である。抗微生物薬および組成物は、例えば、硬表面洗浄、食品調理、動物飼料、冷却水、ホスピタリティサービス、病院および医療用途、パルプおよび紙製造、織物洗浄、ならびに水処理に関連する消毒剤および殺菌剤として使用される。抗微生物薬および組成物の多様なカテゴリーの中で、第４級アンモニウム化合物は、使用される薬剤の最も大きなクラスの１つを表す。低濃度において、第４級アンモニウム型の抗微生物薬は、静菌性、静真菌性、静藻性、静胞子形成性、および結核菌抑制性である。中程度の濃度において、それらは、殺菌性、殺真菌性、殺藻性、および親油性ウイルスに対して殺ウイルス性である。しかしながら、一般に約２〜３重量％を超える高濃度では、それらは急性毒性を示す。米国環境保護庁によれば、第４級アンモニウム化合物との接触は、接触皮膚炎および鼻の刺激を引き起こす。さらに、特定の第４級アンモニウム化合物は、呼吸器感作性物質であり、喘息および他の呼吸状態に関連している。吸入量を制限するために、第４級アンモニウム化合物の取り扱いおよび使用には、個人保護および適切な換気が必要である。米国環境保護庁の健康影響試験ガイドライン、急性吸入毒性のＯＰＰＴＳ  ８７０．１３００について、このような組成物の生成システムの開発中に、エアロゾル濃度の安定性を確立するために粒径分析が実施されるべきである。空気力学的質量中央径は、１〜４マイクロメートルであるべきである。吸湿性材料の粒径は、膨潤した粒子のサイズが依然として１〜４マイクロメートルの範囲内であることを保証するために、乾燥時に十分に小さくなければならない。
【０００４】
さらに、スプレー装置は、標的硬表面に接触する組成物のスプレーパターンを作成する。組成物の大部分は標的表面上に存在するようになり、スプレー可能な組成物の小部分は、約５秒〜約１０分などの期間にわたって分散部位の周りの雰囲気中に懸濁または分散したままであり得る、洗浄組成物の小粒子からなる空中エアロゾルまたはミスト（例えば、空中ミストまたは微細化エアロゾル）となり得る。スプレープロセス中に生成されるこのような空中ミストまたは微細化エアロゾルは、実質的な問題を提示し得る。
【０００５】
微細化エアロゾルまたはミストの形態の強塩基洗浄成分を有するそのような水性組成物は、使用者の呼吸困難を引き起こし得る。呼吸困難を緩和するために、いくつかのスプレー可能な水性組成物は、低減した量のアルカリ洗浄成分で配合されている。強い腐食剤は、重炭酸塩などの低減したアルカリ度の塩基によって、または溶媒材料によって置き換えられた。しかしながら、これらの材料の濃度の低減または置換は、多くの場合、使用時の材料の洗浄活性および有効性を低減し得る。これは、還元アルカリ性材料の洗剤特性を改良するための有機界面活性剤またはグリコール、アルキルエーテル、もしくはジメチルスルホキシド溶媒材料の使用を必要とする。スプレー可能な水性組成物に見られる改善にもかかわらず、有効な洗浄、消毒、および殺菌を提供しながら、低減したミスト化、およびしたがって低減した吸入を有する改善された組成物の必要性が残っている。
【０００６】
様々な使用のためのポリマーの開発および改善には、アクリルアミドと少なくとも５モルパーセントのジアルキルアミノアルキルアクリレートとの微粒子架橋コポリマーについて開示するＥＰ  ２０２，７８０、反応へのその利用可能性がプロセス全体にわたって実質的に一定であるような条件下での重合プロセスの開始時および最中の両方での架橋剤の添加について開示する米国特許第４，９５０，７２５号、水溶性分岐高分子量カチオン性ポリマーについて開示するＥＰ  ３７４，４５８、ＤＡＤＭＡＣ／アクリルアミドコポリマーの重合の終了時の連鎖移動剤について開示するＥＰ  ３６３，０２４、アクリルアミド／ジメチルアミノエチルアクリレートメチルクロリド第４級塩コポリマーなどの実質的に線状のカチオン性ポリマーの使用について開示する米国特許第４，９１３，７７５号、アクリルアミド／ジメチルアミノエチルアクリレート第４級塩コポリマーなどの分岐カチオン性ポリアクリルアミド粉末について開示する米国特許第５，３９３，３８１号、ならびに油中水型エマルジョン、分散液、またはゲル重合を用いて合成され、速い可溶化速度、比粘度のより高い低減を有する水溶性カチオン性、アニオン性、および非イオン性ポリマーについて開示するＷＯ２００２００２６６２に開示されるものが含まれる。
【発明の概要】
【発明が解決しようとする課題】
【０００７】
したがって、本発明の目的は、高、中、および低濃度でそのような組成物の吸入リスクを低減することである。低減した吸入リスクは、高体積の空気サンプリングからの低減したエアロゾル質量収集によって間接的に測定することもできる。質量の低減したレベルは、低減した吸入と直接相関する。この低減は、適用された溶液の液滴サイズから決定されるミスト化の低減とは異なり、増加した液滴サイズが低減したミスト化および噴霧化を示す。実際、本発明の液体組成物の利点は、当該組成物の使用者による吸入リスクが著しく低減または減少することである。したがって、本明細書の組成物は、そうでなければ第４級アンモニウム化合物の吸入から生じ得る、鼻および／もしくは喉の刺激ならびに／または咳もしくはさらに肺損傷のような潜在的な健康問題を回避する。本発明のさらなる利点は、本発明による洗浄組成物を使用する場合、目の刺激および／または損傷も防止されることである。
【０００８】
したがって、特許請求される発明の１つの目的は、改良された抗微生物第４級アンモニウム化合物ベースの組成物を開発することである。
【０００９】
本発明のさらなる目的は、酸化性配合物を含む、中性、酸性、および／またはアルカリ性配合物においてポリマーを使用する配合物に適した低減した吸入の製品である。
【００１０】
本発明のさらなる目的は、生物学的物質と接触したときに吸入および曝露の低減したリスク有する効果的な抗微生物第４級アンモニウム化合物ベースの組成物を提供することである。
【００１１】
本発明のさらなる目的は、急性毒性レベルに対するそのような改善を提供するための第４級アンモニウム化合物と追加の機能性成分との相乗的組成物を提供することである。
【００１２】
本発明の１つの目的は、例えば、抗微生物第４級アンモニウム化合物が使用される、硬表面消毒剤、施設消毒剤、水処理、医療器具用の高レベル殺菌剤を含む殺菌性および／または消毒性表面、抗微生物潤滑剤、洗濯物洗浄および消毒、改良されたマイルド性および低減した刺激性を有する抗微生物剤、改良された組み合わせ製品、第３シンク用途などを含む、使用の用途を有する、低減した急性毒性および吸入リスクを有する活性化組成物を提供することである。
【００１３】
本発明の他の目的、利点、および特徴は、添付の図面と併せて以下の明細書から明らかになるであろう。
【課題を解決するための手段】
【００１４】
本発明による組成物は、組成物中の高分子量エマルジョンおよび分散ポリマーの組み込みの結果として吸入リスクを同時に低減しながら、第４級アンモニウム化合物の同等または改良された抗微生物有効性を維持する能力を提供する。
【００１５】
一態様では、本開示による濃縮洗浄組成物は、殺菌剤、消毒剤、抗微生物化合物、またはそれらの組み合わせを含む洗浄成分と、高分子量カチオン性、非イオン性、またはアニオン性ポリマーである、ポリマー成分と、を含む。本開示によれば、洗浄成分は、第４級アンモニウム化合物、酸消毒剤、酸化剤、アミン、またはそれらの組み合わせである一方、ポリマー成分は、逆エマルジョンポリマー、分散ポリマー、粉末ポリマー、キサンタンガム、またはそれらの組み合わせである。
【００１６】
一態様では、本開示による洗浄組成物は、第４級アンモニウム化合物の洗浄成分と、高分子量カチオン性もしくはアニオン性逆エマルジョンポリマー、高分子量カチオン性もしくはアニオン性分散ポリマー、または高分子量カチオン性もしくはアニオン性粉末ポリマーのポリマー成分と、を含む。
【００１７】
さらなる態様では、本開示による洗浄組成物は、酸消毒剤の洗浄成分と、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムのポリマー成分と、を含む。
【００１８】
またさらなる態様では、本開示による洗浄組成物は、酸化剤の洗浄成分と、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムのポリマー成分と、を含む。
【００１９】
またさらなる態様では、本開示による洗浄組成物は、アミンの洗浄成分と、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムのポリマー成分と、を含む。
【００２０】
本開示による洗浄組成物は、１００万Ｄａ〜２５００万Ｄａの分子量、０．１〜１０ミクロンの範囲の粒径、および５０〜５０００ｃＰｓの粘度を有するポリマー成分を含み得る。さらに、洗浄組成物は、酸成分をさらに含み得、酸成分は、約０．１重量％〜約３０重量％の量で存在し、酸成分は、洗浄組成物が０〜６のｐＨを有するようなｐＨ制御を提供する。またさらに、洗浄組成物は、少なくとも１つのアニオン性界面活性剤、非イオン性界面活性剤、両性界面活性剤、またはそれらの組み合わせをさらに含み得、少なくとも１つの界面活性剤は、約０．１重量％〜約３０重量％の量で存在する。
【００２１】
本開示による洗浄組成物は、追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含み得る。
【００２２】
本開示の一態様では、洗浄組成物は、低減した吸入リスクを提供しながら、処理された表面上で少なくとも４ｌｏｇの殺滅を提供する。さらに、洗浄組成物は、低減した吸入リスクを提供し、組成物の中央粒径は、約１１ミクロン以上である。
【００２３】
本開示のさらなる態様では、洗浄組成物は、式：
【化１】
2022000512.tif 000002
を有し、式中、Ｒ１、Ｒ２、Ｒ３、およびＲ４基が、各々Ｃ２０未満の鎖長を有し、Ｘ−が、アニオン性対イオンである、第４級アンモニウム化合物と、高分子量カチオン性または非イオン性ポリマーである、ポリマー成分と、を含み、組成物は、すぐに使える溶液または水溶性濃縮物のいずれかであり、約０〜約６のｐＨを有する。
【００２４】
本開示の一態様によれば、第４級アンモニウム化合物は、モノアルキルトリメチルアンモニウム塩、モノアルキルジメチルベンジルアンモニウム塩、ジアルキルジメチルアンモニウム塩、ヘテロ芳香族アンモニウム塩、多置換第４級アンモニウム塩、ビス第４級アンモニウム塩、ポリマー第４級アンモニウム塩、およびそれらの組み合わせからなる群から選択される。本開示のさらなる態様では、第４級アンモニウム化合物は、約１重量％〜約５０重量％の量で存在する。
【００２５】
本開示の一態様では、ポリマー成分は、１００万Ｄａ〜２５００万Ｄａの分子量、０．１〜１０ミクロンの範囲の粒径、および５０〜５０００ｃＰｓの粘度を有する。またさらに、ポリマー成分は、アクリルアミド、メタクリルアミド、アクリル酸もしくはその塩、Ｎ−ｔ−ブチルアクリルアミドスルホン酸（ＡＴＢＳ）もしくはその塩、アクリルアミド第３級ブチルスルホン酸もしくはその塩、２−（アクリロイルオキシ）−Ｎ，Ｎ，Ｎ−トリメチルエタンアンミニウム（ＤＭＡＥＡ．ＭＣＱ）、ジアリルジメチルアンモニウムクロリド、ジメチルアミノエチルアクリレートメチルクロリド第４級塩、アクリルアミドプロピルトリメチルアンモニウムクロリド、ジメチルアミノエチルメタクリレートメチルクロリド第４級塩、メタクリルアミドプロピルトリメチルアンモニウムクロリド、またはそれらの組み合わせである。
【００２６】
本開示の一態様では、洗浄組成物は、酸成分をさらに含み、酸成分は、約０．１重量％〜約３０重量％の量で存在し、洗浄組成物が０〜６のｐＨを有するようなｐＨ制御を提供する。
【００２７】
本開示のさらなる態様では、洗浄組成物は、少なくとも１つのアニオン性界面活性剤、非イオン性界面活性剤、両性界面活性剤、またはそれらの組み合わせをさらに含み、少なくとも１つの界面活性剤は、約０．１重量％〜約３０重量％の量で存在する。
【００２８】
本開示のまたさらなる態様では、洗浄組成物は、追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含む。
【００２９】
本開示による洗浄組成物は、低減した吸入リスクを提供しながら、処理された表面上で少なくとも４ｌｏｇの殺滅を提供する。さらに、本開示による洗浄組成物は、低減した吸入リスクを提供し、その組成物の中央粒径は、約１１ミクロン以上である。
【００３０】
組成物を用いる方法もまた、本発明の実施形態に含まれる。本開示の一態様では、微生物を殺滅する方法は、基材に本開示による洗浄組成物を適用することを含み、組成物は、低減した吸入リスクを提供しながら、処理された表面上で少なくとも４ｌｏｇの殺滅を提供する。
【００３１】
複数の実施形態が開示されているが、本発明のなお他の実施形態は、本発明の例証的な実施形態を図示および説明する以下の詳細な説明から、当業者には明らかになるであろう。したがって、図面および発明を実施するための形態は、本来は例示的であり、限定的ではないものとしてみなされるべきである。
【発明を実施するための形態】
【００３２】
本発明の実施形態は、特定の組成物、洗浄組成物の代替の洗浄および使用と共に、洗浄組成物の抗微生物および／または消毒用途を含む、硬表面消毒および殺菌のためにそれを作製する方法および／または使用する方法に限定されず、これは異なり得、当業者によって理解される。本発明をより容易に理解し得るように、特定の用語をまず定義する。本明細書に使用される全ての専門用語は、単に特定の実施形態を説明する目的のためであり、いかなる様式または範囲においても限定的であることを意図されないことがさらに理解されるべきである。例えば、本明細書および添付の特許請求の範囲において使用される場合、単数形「ａ」、「ａｎ」、および「ｔｈｅ」は、内容が別段明らかに示されない限り、複数形の指示対象を含み得る。さらに、全ての単位、接頭辞、および記号は、そのＳＩによって認められた形態で示され得る。
【００３３】
本明細書内に記載される数値範囲は、範囲を定義する数字を含み、定義される範囲内の各整数を含む。本開示全体を通して、本発明の様々な態様が、範囲形式で示される。範囲形式における説明は単に便宜および簡潔さのためであり、本発明の範囲への堅固な限定として解釈されるべきではないことを理解されたい。したがって、範囲の説明は、その範囲内の全ての可能性のある部分範囲、分数、および個々の数値を具体的に開示しているとみなされるべきである。例えば、１〜６のような範囲の説明は、１〜３、１〜４、１〜５、２〜４、２〜６、３〜６などのような部分範囲、ならびにその範囲内の個々の数字、例えば、１、２、３、４、５、および６、ならびに少数および分数、例えば、１．２、３．８、１と１／２、および４と３／４を具体的に開示しているとみなされるべきである。これは範囲の幅広さにかかわらず適用される。
【００３４】
本発明をより容易に理解し得るように、特定の用語をまず定義する。別段定義されない限り、本明細書で使用される全ての技術および科学用語は、本発明の実施形態が関連する技術分野の当業者によって一般に理解されるものと同じ意味を有する。本明細書に記載されるものと類似しているか、それらを修正したか、またはそれらと同等である多くの方法および材料が、過度の実験を伴うことなく本発明の実施形態の実践に使用され得、好ましい材料および方法が、本明細書に記載される。本発明の実施形態を説明および請求する上で、以下に記載される定義に従って以下の専門用語が使用される。
【００３５】
本明細書で使用されるとき、「約」という用語は、例えば、実際に濃縮物または使用溶液を作製するために使用される典型的な測定および液体取り扱い手順を通して、これらの手順における不慮の誤りを通して、組成物の作製または方法の実行のために使用される製造、供給源、成分の純度の差などを通して生じ得る、数量の変動を指す。「約」という用語はまた、特定の初期混合物から得られる組成物に関する異なる平衡条件によって異なる量も包含する。「約」という用語により修飾されるか否かにかかわらず、特許請求の範囲は、その量の当量を含む。
【００３６】
「ＡｃＡｍ」という用語または略語は、アクリルアミドを指す。
【００３７】
「活性物質」または「活性物質パーセント」または「活性物質重量パーセント」または「活性物質濃度」は、本明細書において互換的に使用され、水または塩などの不活性成分を引いたパーセンテージとして表される洗浄に関与する成分の濃度を指す。
【００３８】
本明細書で使用されるとき、「活性塩素」、「塩素」、および「次亜塩素酸塩」という用語は、全て互換的に使用され、当業者に知られている標準的な滴定技法によって評価される使用溶液において利用可能な測定可能な塩素を意味することを意図する。好ましい態様において、逆エマルジョンポリマー組成物は、塩素を含まない洗浄組成物を提供する。
【００３９】
本明細書で使用されるとき、「エアロゾル」および「ミスト」という用語は、少なくとも５秒、より一般的には１５秒〜１０分間、洗浄部位の周りの雰囲気中に懸濁または分散したままであり得る洗浄組成物を含む小粒子の空中分散物を指す。
【００４０】
本明細書において使用する場合、「アルキル」または「アルキル基」という用語は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシル等）、環式アルキル基（または「シクロアルキル」もしくは「脂環式」もしくは「炭素環式」基）（例えば、シクロプロピル、シクロペンチル、シクロヘキシル、シクロヘプチル、シクロオクチル等）、分岐鎖アルキル基（例えば、イソプロピル、ｔｅｒｔ−ブチル、ｓｅｃ−ブチル、イソブチル等）、ならびにアルキル置換アルキル基（例えば、アルキル置換シクロアルキル基およびシクロアルキル置換アルキル基）を含む。
【００４１】
別段に特定されない限り、「アルキル」という用語は、「非置換アルキル」および「置換アルキル」の両方を含む。本明細書で使用されるとき、「置換アルキル」という用語は、炭化水素骨格の１つ以上の炭素上の１つ以上の水素を置換する置換基を有するアルキル基を指す。そのような置換基には、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、ホスフェート、ホスホネート（ｐｈｏｓｐｈｏｎａｔｏ）、ホスフィネート（ｐｈｏｓｐｈｉｎａｔｏ）、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイル、およびウレイドを含む）、イミノ、スルフヒドリル、アルキルチオ、アリールチオ、チオカルボキシレート、サルフェート、アルキルスルフィニル、スルホネート、スルファモイル、スルホンアミド、ニトロ、トリフルオロメチル、シアノ、アジド、複素環式、アルキルアリール、または芳香族（複素芳香族を含む）基が含まれ得る。
【００４２】
本明細書において使用する場合、「洗浄」という用語は、汚れ除去、漂白、微生物群の減少、およびそれらの任意の組み合わせを促進するか、またはそれらを助けるために使用される方法を指す。本明細書において使用する場合、「微生物（ｍｉｃｒｏｏｒｇａｎｉｓｍ）」という用語は、あらゆる非細胞生物または単細胞（群体を含む）生物を指す。微生物は、全ての原核生物を含む。微生物は、細菌（シアノバクテリアを含む）、胞子、地衣類、菌類、原虫、ビリノ、ウイロイド、ウイルス、ファージ、およびいくつかの藻を含む。本明細書において使用する場合、「微生物（ｍｉｃｒｏｂｅ）」という用語は、微生物（ｍｉｃｒｏｏｒｇａｎｉｓｍ）と同義である。本特許出願の目的のため、良好な微生物の減少は、微生物集団が少なくとも約５０％減少されるときに達成され、またはそれを著しく超えるものは、水による洗浄によって達成される。微生物集団のより大きな減少は、より大きなレベルの保護を提供する。
【００４３】
「ＤＡＤＭＡＣ」という用語または略語は、ジアリルジメチルアンモニウムクロリドを指す。
【００４４】
「ＤＭＡＥＡ」という用語または略語は、ジメチルアミノエチルアクリレートを指す。
【００４５】
「ＤＭＡＥＭ」という用語または略語は、ジメチルアミノエチルメタクリレートを指す。
【００４６】
「ＤＭＡＥＡ  ＢＣＱ」という用語または略語は、ジメチルアミノエチルアクリレート、ベンジルクロリド第４級塩を指す。
【００４７】
「ＤＭＡＥＡ’ＭＣＱ」という用語または略語は、ジメチルアミノエチルアクリレート、メチルクロリド第４級塩を指す。
【００４８】
明細書で使用されるとき、「殺菌剤」という用語は、Ａ．Ｏ．Ａ．Ｃ．Ｕｓｅ  Ｄｉｌｕｔｉｏｎ  Ｍｅｔｈｏｄｓ，Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，ｐａｒａｇｒａｐｈ  ９５５．１４  ａｎｄ  ａｐｐｌｉｃａｂｌｅ  ｓｅｃｔｉｏｎｓ，１５ｔｈ  Ｅｄｉｔｉｏｎ，１９９０（ＥＰＡ  Ｇｕｉｄｅｌｉｎｅ  ９１−２）に記載される手順を用いて、最も認識されている病原微生物を含む全ての栄養細胞を殺滅する薬剤を指す。この参考文献によると、殺菌剤は、いくつかの試験生物に対して、室温、２５±２℃で３０秒間以内に９９．９９９％の低減（５ｌｏｇオーダーの低減）を提供するべきである。本発明の実施形態によると、殺菌組成物は、使用温度で（細菌汚染を含む）所望の生物の９９．９９９％の低減（５ｌｏｇオーダーの低減）を提供する。さらに、殺菌剤は、いくつかの試験生物に対して、室温、２５±２℃で３０秒以内に９９．９９％の低減（４ｌｏｇオーダーの低減）を提供するべきである。本発明の実施形態によると、殺菌組成物は、使用温度で（細菌汚染を含む）所望の生物の９９．９９％の低減（４ｌｏｇオーダーの低減）を提供する。さらに、殺菌剤は、いくつかの試験生物に対して、室温、２５±２℃で３０秒以内に９９．９％の低減（３ｌｏｇオーダーの低減）を提供するべきである。本発明の実施形態によると、殺菌組成物は、使用温度で（細菌汚染を含む）所望の生物の９９．９％の低減（３ｌｏｇオーダーの低減）を提供する。本明細書で使用されるとき、「高レベル殺菌」または「高レベル殺菌剤」という用語は、高レベルの細菌胞子を除き、実質的に全ての生物を殺滅し、食品医薬品局によって滅菌剤としての市販を許可されている化学的殺菌剤で効果をもたらす化合物または組成物を指す。本明細書で使用されるとき、「中レベル殺菌」または「中レベル殺菌剤」という用語は、環境保護庁（ＥＰＡ）によって殺結核菌剤として登録されている化学的殺菌剤でマイコバクテリア、ほとんどのウイルス、および細菌を殺滅する化合物または組成物を指す。本明細書で使用されるとき、「低レベル殺菌」または「低レベル殺菌剤」という用語は、ＥＰＡによって病院殺菌剤として登録されている化学的殺菌剤でいくつかのウイルスおよび細菌を殺滅する化合物または組成物を指す。「ＥＤＴＡ  ４Ｎａ＋」という用語または略語は、エチレンジアミン四酢酸、四ナトリウム塩を指す。
【００４９】
本明細書で使用されるとき、「食品加工表面」という語句は、食品加工、調理、または貯蔵活動の一部として使用される用具、機械、設備、構造、建物などの表面を指す。食品加工表面の例としては、食品加工または調理設備（例えば、スライス、缶詰化、またはフリュームを含む運搬設備）の表面、食品加工ウェア（例えば、調理器具、食器類、洗浄ウェア、およびバーグラス）の表面、ならびに食品加工が行われる構造の床、壁、または備品の表面が挙げられる。食品加工表面は、食品腐敗防止空気循環システム、無菌包装消毒、食品冷蔵およびクーラー洗浄剤および消毒剤、ウェア洗浄消毒、ブランチャー洗浄および消毒、食品包装材料、カッティングボード添加剤、第３シンク消毒、飲料チラーおよびウォーマー、肉冷却または煮沸水、自動食器消毒剤、消毒ゲル、冷却塔、食品加工抗微生物衣類スプレー、ならびに非水性〜低水性食品調理潤滑剤、油、およびすすぎ添加剤に見られ、使用される。
【００５０】
本明細書で使用されるとき、「食品製品」は、抗微生物剤または組成物での処理を必要し得、さらなる調理の有無にかかわらず食用に適した任意の食品物質を含む。食品製品としては、肉（例えば、赤身肉および豚肉）、魚介類、鶏肉、農産物（例えば、果物および野菜）、卵、生存卵、調理済み食品、小麦、種子、根、塊茎、葉、茎、穀粒、花、芽、調味料、またはそれらの組み合わせが挙げられる。「農産物」という用語は、果物および野菜ならびに典型的には調理されずに、しばしば包装されずに販売され、時には生食され得る植物または植物由来材料などの食品製品を指す。
【００５１】
「硬表面」という用語は、カウンタートップ、タイル、床、壁、パネル、窓、配管備品、台所および浴室装備品、電化製品、エンジン、回路基板、および皿などの、固体の実質的に非柔軟性の表面を指す。硬表面は、例えば、保健医療表面および食品加工表面を含み得る。
【００５２】
本明細書で使用されるとき、「保健医療表面」という語句は、保健医療活動の一部として使用される、器具、装置、カート、ケージ、備品、構造、建物などの表面を指す。保健医療表面の例は、医療または歯科器具の表面、医療または歯科装置の表面、患者の健康状態を監視するために使用される電子機器の表面、および保健医療が行われる構造の床、壁、または備品の表面を含む。保健医療表面は、病院、手術、虚弱、出産、遺体安置、および臨床診断室において見られる。これらの表面は、「硬表面」（例えば、壁、床、便器など）、または織物表面、例えば、編物、織布、および不織布表面（例えば、手術衣類、カーテン、ベッドリネン、包帯など）、または患者ケア設備（例えば、人工呼吸器、診断設備、シャント、ボディスコープ、車椅子、ベッドなど）、または手術および診断設備として代表されるものであり得る。保健医療表面は、動物の保健医療において使用される物品および表面を含む。
【００５３】
本明細書で使用されるとき、「器具」という用語は、本発明による組成物での洗浄から利益を得ることができる、様々な医療または歯科器具または装置を指す。
【００５４】
本明細書で使用されるとき、「医療器具」、「歯科器具」、「医療装置」、「歯科装置」、「医療設備」、または「歯科設備」という語句は、医療または歯科において使用される、器具、装置、用具、電化製品、機器、および設備を指す。そのような器具、装置、および設備は、冷滅菌、浸漬、または洗浄された後、熱滅菌され得るか、またはそうでなければ、本発明の組成物中での洗浄から利益を得ることができる。これらの様々な器具、装置、および設備としては、診断器具、トレイ、パン、ホルダー、ラック、ピンセット、はさみ、せん断器、鋸（例えば、骨鋸およびそれらの刃）、止血鉗子、ナイフ、チゼル、骨鉗子、やすり、ニッパー、ドリル、ドリルビット、石目やすり、バー、スプレッダー、ブレーカー、エレベーター、クランプ、ニードルホルダー、キャリア、クリップ、フック、ガウジ、キュレット、リトラクター、ストレートナー、パンチ、エクストラクター、スクープ、ケラトーム、スパチュラ、エクスプレッサー、トロカール、ダイレーター、ケージ、グラスウェア、チューブ、カテーテル、カニューレ、プラグ、ステント、スコープ（例えば、内視鏡、聴診器、および関節鏡）、ならびに関連設備など、またはそれらの組み合わせが挙げられるが、これらに限定されない。
【００５５】
本明細書において使用する場合、「微生物（ｍｉｃｒｏｂｅ）」という用語は、微生物（ｍｉｃｒｏｏｒｇａｎｉｓｍ）と同義である。本特許出願の目的のため、良好な微生物の減少は、微生物集団が少なくとも約５０％減少されるときに達成され、またはそれを著しく超えるものは、水による洗浄によって達成される。微生物集団のより大きな減少は、より大きなレベルの保護を提供する。抗微生物性の「殺〜」または「静〜」活性の区別、有効性の程度を説明する定義、およびこの有効性を測定するための公式な実験室プロトコルは、抗微生物性の薬剤および組成物の関連性を理解するための留意事項である。洗浄組成物は、２種類の微生物細胞損傷に影響を及ぼし得る。１つ目は、完全な微生物細胞の破壊または不能化をもたらす致死的な不可逆性作用である。２つ目の種類の細胞損傷は、可逆的であり、その結果、生物がその薬剤を有しなくなると再び繁殖し得る。前者は殺微生物性、後者は静微生物性と呼ばれる。消毒剤および殺菌剤は、定義によると、抗微生物性または殺微生物性活性を提供する薬剤である。対照的に、防腐剤は概して、阻害剤または静微生物性組成物として説明される。
【００５６】
本明細書で使用されるとき、「微生物（ｍｉｃｒｏｏｒｇａｎｉｓｍ）」という用語は、任意の非細胞または単細胞（群体を含む）生物を指す。微生物は、全ての原核生物を含む。微生物は、細菌（シアノバクテリアを含む）、胞子、地衣類、菌類、原虫、ビリノ、ウイロイド、ウイルス、ファージ、およびいくつかの藻を含む。
【００５７】
本明細書で使用されるとき、「消毒剤」という用語は、細菌性汚染物質の数を公衆健康要件によって判定される安全レベルにまで低減する薬剤を指す。一実施形態では、本発明における使用のための消毒剤は、少なくとも９９．９９９％の低減（５ｌｏｇオーダーの低減）を提供するであろう。これらの低減は、Ｇｅｒｍｉｃｉｄａｌ  ａｎｄ  Ｄｅｔｅｒｇｅｎｔ  Ｓａｎｉｔｉｚｉｎｇ  Ａｃｔｉｏｎ  ｏｆ  Ｄｉｓｉｎｆｅｃｔａｎｔｓ，Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，１５ｔｈ  Ｅｄｉｔｉｏｎ，１９９０（ＥＰＡ  Ｇｕｉｄｅｌｉｎｅ  ９１−２）の段落９６０．０９および適用可能な節に記載される手順を使用して評価され得る。この参考文献によると、消毒剤は、いくつかの試験生物に対して、室温、２５±２℃において３０秒間以内に９９．９９９％の低減（５ｌｏｇオーダーの低減）を提供するべきである。本発明の実施形態によると、消毒組成物は、使用温度で（細菌汚染を含む）所望の生物の９９．９９９％の低減（５ｌｏｇオーダーの低減）を提供する。さらに、消毒剤は、いくつかの試験生物に対して、室温、２５±２℃で３０秒以内に９９．９９％の低減（４ｌｏｇオーダーの低減）を提供するべきである。本発明の実施形態によると、消毒組成物は、使用温度で（細菌汚染を含む）所望の生物の９９．９９％の低減（４ｌｏｇオーダーの低減）を提供する。さらに、消毒剤は、いくつかの試験生物に対して、室温、２５±２℃で３０秒以内に９９．９％の低減（３ｌｏｇオーダーの低減）を提供するべきである。本発明の実施形態によると、消毒組成物は、使用温度で（細菌汚染を含む）所望の生物の９９．９％の低減（３ｌｏｇオーダーの低減）を提供する。抗微生物性の「殺〜」または「静〜」活性の区別、有効性の程度を説明する定義、およびこの有効性を測定するための公式な実験室プロトコルは、抗微生物性の薬剤および組成物の関連性を理解するための留意事項である。洗浄組成物は、２種類の微生物細胞損傷に影響を及ぼし得る。１つ目は、完全な微生物細胞の破壊または不能化をもたらす致死的な不可逆性作用である。２つ目の種類の細胞損傷は、可逆的であり、その結果、生物がその薬剤を有しなくなると再び繁殖し得る。前者は殺微生物性、後者は静微生物性と呼ばれる。消毒剤および殺菌剤は、定義によると、抗微生物性または殺微生物性活性を提供する薬剤である。対照的に、防腐剤は概して、阻害剤または静微生物性組成物として説明される。
【００５８】
抗微生物性の「殺〜」または「静〜」活性の区別、有効性の程度を説明する定義、およびこの有効性を測定するための公式な実験室プロトコルは、抗微生物性の薬剤および組成物の関連性を理解するための留意事項である。抗微生物組成物は、２種類の微生物細胞損傷に影響を及ぼし得る。１つ目は、完全な微生物細胞の破壊または不能化をもたらす致死的な不可逆性作用である。２つ目の種類の細胞損傷は、可逆的であり、その結果、生物がその薬剤を有しなくなると再び繁殖し得る。前者は殺微生物性、後者は静微生物性と呼ばれる。消毒剤および殺菌剤は、定義によると、抗微生物性または殺微生物性活性を提供する薬剤である。対照的に、防腐剤は、一般的に、阻害剤または静微生物性組成物として説明される。
【００５９】
本明細書で使用される「界面活性剤」という用語は、水または溶媒に添加されるとき、系の表面張力を低減する、親油性セグメントおよび親水性セグメントを含有する化合物である。
【００６０】
「粘度」という用語は、本発明による洗浄、消毒、および殺菌のためのスプレー可能な水性組成物の特性を説明するために本明細書で使用される。当業者が理解するように、組成物の特徴を説明するために、動的（せん断）粘度およびバルク粘度の両方を使用することができる。液体のせん断粘度は、せん断流に対するその抵抗を説明する。液体のバルク粘度は、せん断なしにその流れに抵抗する内部摩擦の形態を示すその能力を説明する。本明細書で記載される粘度の測定値は、ポアズ（Ｐ）またはセンチポアズ（ｃＰｓ）の物理単位を使用する。
【００６１】
本明細書で使用されるとき、「ウェア」という用語は、食事および調理用具、食器類、ならびにシャワー、シンク、トイレ、浴槽、天板、窓、鏡、運搬用車両、および床などの他の硬表面を指す。本明細書で使用される場合、「ウェア洗浄」という用語は、ウェアの洗浄、洗浄、またはすすぎを指す。ウェアは、プラスチック製のアイテムも指す。本発明による組成物で洗浄され得るプラスチックの種類としては、ポリカーボネートポリマー（ＰＣ）、アクリロニトリル−ブタジエン−スチレンポリマー（ＡＢＳ）、およびポリスルホンポリマー（ＰＳ）を含むものが挙げられるが、これらに限定されない。本発明の化合物および組成物を使用して洗浄され得る別の例示的なプラスチックには、ポリエチレンテレフタレート（ＰＥＴ）が含まれる。
【００６２】
本明細書で使用されるとき、「重量パーセントｗｅｉｇｈｔ  ｐｅｒｃｅｎｔ」」、「重量％（ｗｔ−％）」、「重量パーセント（ｐｅｒｃｅｎｔ  ｂｙ  ｗｅｉｇｈｔ）」、「重量％（％  ｂｙ  ｗｅｉｇｈｔ）」、およびそれらの変形は、その物質の重量を組成物の総重量で除し、１００を乗じたものとしての物質の濃度を指す。ここで使用されるとき、「パーセント」、「％」などは、「重量パーセント」、「重量％」などと同義であるように意図されることが理解される。
【００６３】
本明細書で使用されるとき、「水溶性」という用語は、少なくとも９０％水溶性、少なくとも９５％水溶性、少なくとも９８％水溶性、少なくとも９９％水溶性、または少なくとも９９．９％水溶性である場合の組成物または成分を指す。
【００６４】
本発明の方法および組成物は、本発明の構成成分および成分、ならびに本明細書に記載される他の成分を含むか、それらから本質的になるか、またはそれらからなってもよい。本明細書で使用されるとき、「から本質的になる」は、方法および組成物が、追加的なステップ、構成成分、または成分を含んでもよいが、ただしその追加的なステップ、構成成分、または成分が、特許請求される方法および組成物の基本的および新規の特徴を物質的に変更しない場合に限ることを意味する。
【００６５】
洗浄組成物
本発明によれば、洗浄組成物は、少なくとも１つの消毒剤、殺菌剤、および／または抗微生物化合物、ならびに少なくとも１つのポリマー化合物を含み、組成物の低減した吸入リスクの結果として低減した急性毒性を有する洗浄活性を提供する。本発明は、少なくとも１つの消毒剤、殺菌剤、および／または抗微生物化合物ならびに少なくとも１つのポリマー化合物を含むか、それらからなるか、またはそれらから本質的になる低減したミスト化および低減した吸入の水性洗浄組成物に関する。いくつかの実施形態では、組成物は、非低速または低速トリガースプレーヤーなどの、トリガースプレーヤーで分注され得る。組成物は、代替の方法でも分注され得る。洗浄組成物は、ポリマーの均質溶液への急速な分散の結果として製造しやすさを提供する。洗浄組成物は、製造しやすさに加えて、例えば、スプレートリガーでの使いやすさを可能にする低減した粘度プロファイルによるスプレー適用を使用する場合の適用しやすさを含む、さらなる利益を提供する。なおさらに、洗浄組成物は、配合物のミスト化をほとんどまたは全く提供せず、従来の増粘剤を含む組成物と比較して増加した洗浄速度を提供する。低減したミスト化組成物のさらなる態様は、２０１７年５月２３日に出願された、米国特許出願第１５／６０２，５３２号、現在は米国特許出願公開第２０１７／０３３５２５４号、および２０１７年５月２３日に出願された、米国特許出願第１５／６０３，０３９号、現在は米国特許出願公開第２０１７／０３３５２５３号において論じられ、各々その全体が参照により組み込まれる。
【００６６】
洗浄組成物は、非ニュートン流体と称され得る。ニュートン流体は、短い緩和時間を有し、せん断粘度と伸長粘度との間に直接相関を有する（液体の伸長粘度はせん断粘度の３倍に等しい）。せん断粘度は、互いに対する層の動きに抵抗する流体の能力の尺度である。伸長粘度（ｅｘｔｅｎｓｉｏｎａｌ  ｖｉｓｃｏｓｉｔｙ）としても知られる伸長粘度（ｅｌｏｎｇａｔｉｏｎａｌ  ｖｉｓｃｏｓｉｔｙ）は、伸長応力下で弾性的に伸びる流体の能力の尺度である。非ニュートン流体は、せん断粘度と伸長粘度との間に直接相関を有さず、ひずみ下にあるときに弾性エネルギーを貯蔵することができ、せん断粘度よりも指数関数的により大きな伸長粘度をもたらし、ひずみ下での増粘（すなわち、せん断増粘）の効果をもたらす。非ニュートン流体のこれらの特性は、せん断下にないときに低粘度を有するが、より大きな液滴を形成するトリガースプレーヤーからの応力下にあるときに増粘する洗浄組成物をもたらす。
【００６７】
いくつかの実施形態では、洗浄組成物は、ひずみ下にないときに比較的低いせん断粘度を有する。一実施形態では、逆エマルジョンポリマー（複数可）を含有する洗浄組成物のせん断粘度は、水のせん断粘度に相当し、「低粘度液体」と称され得る。ポリマー（複数可）を含有する洗浄組成物に適したせん断粘度は、約１〜１０００ｃＰｓ、好ましくは１〜１００ｃＰｓである。一例では、アンチミスト成分は、ひずみ下にないときに洗浄組成物のせん断粘度を増加させず、増加したせん断粘度は、界面活性剤などの他の成分によってもたらされる。本発明は、逆エマルジョンポリマーによってもたらされる柔軟な粘弾性組成物の結果として、アンチミスト組成物の粘度において予期しない利益を提供する。
【００６８】
いくつかの実施形態では、低減したミスト化の洗浄組成物の分注された溶液の中央粒径は、ミスト化を低減し、それによって高ミスト化組成物に関連する吸入リスクを低減するのに十分に大きい。当業者が理解するように、約１０ミクロン未満の液滴サイズを有する粒子は、容易に吸入され得る。また、約０．１ミクロン未満の液滴サイズを有する粒子は、肺に容易に吸入され得る。したがって、本発明の多くの態様では、本発明による洗浄組成物の試験および評価は、ミスト化の低減、特に約１０以下のミクロンサイズの低減または削減に焦点を合わせている。本発明の一態様では、好適な中央粒径は、約１１ミクロン以上、５０ミクロン以上、７０ミクロン以上、約１０ミクロン以上、約１５０ミクロン以上、または約２００ミクロン以上である。好適な中央粒径は、すぐに使える組成物（ＲＴＵ）の組成に依存し得る。例えば、強アルカリ性または酸性使用溶液に適した中央粒径は、約１００ミクロン以上、より具体的には約１５０ミクロン以上、より具体的には約２００ミクロン以上であり得る。中程度アルカリ性または酸性ＲＴＵに適した中央粒径は、約１１ミクロン以上、好ましくは約５０ミクロン以上、より好ましくは約１５０ミクロン以上であり得る。
【００６９】
本発明による洗浄組成物は、ポリマーの保持性能、溶液安定性、および微生物有効性に関して安定な組成物を有益に提供し、ポリマーは、約６０°Ｆ〜約８０°の周囲温度で少なくとも約１年間、または約６０°Ｆ〜約８０°Ｆの周囲温度で少なくとも約２年間にわたって安定性を保持する。安定性は、洗浄組成物の維持されたアンチミスト化特性によって測定される。
【００７０】
一態様において、本発明による洗浄組成物は、表１に示されるような成分を含み、それからなり、および／または本質的にそれからなり、使用される活性消毒剤、殺菌剤、および／または抗微生物化合物は、ポリマー形態および電荷の選択に影響を与え、消毒、殺菌、および／または抗微生物特性と相まって低減した吸入リスクを有する予想外かつ有益な効果を提供する。
【表１】
2022000512.tif 000003
【００７１】
洗浄成分
本発明による洗浄組成物は、少なくとも１つの消毒剤、殺菌剤、または抗微生物化合物を含む洗浄化合物を含有する。本発明の一実施形態では、洗浄成分は、第４級アンモニウム化合物、酸消毒剤、酸化剤、アミン、またはそれらの組み合わせである。
【００７２】
第４級アンモニウム化合物
本発明の一実施形態によれば、洗浄組成物は、少なくとも１つの第４級アンモニウム化合物および少なくとも１つのポリマー化合物を含む。本発明の特定の理論に限定されることを望むものではないが、本発明の洗浄組成物は、酸性ｐＨで利用される場合、第４級アンモニウム化合物とタンパク質との間の相互作用に影響を及ぼす。特に、酸性ｐＨでの第４級アンモニウム化合物の利用は、正に帯電した第４級アンモニウム化合物と負または部分的に負に帯電した生物学的物質との間の静電相互作用を低減し、第４級アンモニウム化合物に関連する毒性のリスクおよび吸入リスクを低減する。さらに、ポリマー成分の添加によって、組成物は、呼吸困難を引き起こし得る貯蔵および適用中のある量のミストまたはエアロゾルの配合に抵抗する。
【００７３】
本発明による洗浄組成物は、有効な抗微生物および／または消毒能力を提供しながら、第４級アンモニウム化合物の急性毒性の懸念を克服する。第４級アンモニウム化合物および酸成分の組成物は、急性毒性を低減する。特定の理論に縛られることを求めることなく、第４級アンモニウム化合物を含有する濃縮組成物のｐＨの制御は、特に吸入中に、第４級アンモニウム化合物と生物学的物質との間の静電相互作用を低減する。ｐＨの関数としてのカゼインタンパク質の理論的表面電荷を表２に要約し、タンパク質、すなわち、生物学的物質のｐＨ−静電荷関係を示す。表２に示され、当業者が理解するように、ｐＨが等電点に近づくにつれて、タンパク質は正味ゼロ電荷を示す。
【表２】
2022000512.tif 000004
【００７４】
肺の生理学的ｐＨ、約７．２５〜７．４５では、ほとんどの生物学的物質は、アニオン電荷を有する。そこで生物学的物質のアニオン性が低い場合、すなわち、そのそれぞれの等電点またはｐＫａに近い／それと同じ／またはそれより低い場合、表２に示される理論的適合性によれば、第４級アンモニウム化合物および生物学的物質は、低減した静電相互作用を有すると考えられる。
【００７５】
界面活性剤が洗浄組成物に含まれる本発明の一態様では、カチオン性界面活性剤は、静電相互作用の増加、したがって組成物の毒性の増加によって好ましくない。
【００７６】
そのようなものとして、生物学的物質と第４級アンモニウム化合物との間の相互作用を減少させるために、アニオン性、非イオン性、および両性界面活性剤、ならびにそれらの組み合わせが好まれる。同様に、ｐＨを制御および静電相互作用の減少を補助するために、酸成分が選択される。第４級アンモニウム化合物およびそれらが低減した吸入の洗浄組成物における使用に適していることのさらなる議論は、２０１７年２月２８日に出願された、米国特許出願第１５／４４５，１４６号［代理人整理番号ＰＴ１０７６７ＵＳＵ１］に見ることができ、その全内容は、その全体が本明細書に参照により組み込まれる。
【００７７】
本発明の一実施形態による洗浄組成物は、少なくとも１つの第４級アンモニウム化合物を含む。特定の第４級アンモニウム化合物は、抗微生物活性を有することが知られている。したがって、抗微生物活性を有する様々な第４級アンモニウム化合物を本発明の組成物に使用することができる。一態様において、第４級アンモニウム化合物は、抗微生物「ｑｕａｔ」である。「第４級アンモニウム化合物」または「ｑｕａｔ」という用語は、一般的に、式を有する任意の組成物を指し、
【化２】
2022000512.tif 000005
式中、Ｒ１〜Ｒ４は、同じまたは異なる、置換または非置換、飽和または不飽和、分岐または非分岐、および環式または非環式であり得、エーテル、エステル、またはアミド結合を含有し得るアルキル基であり、それらは、芳香族または置換芳香族基であり得る。一態様において、Ｒ１、Ｒ２、Ｒ３、およびＲ４基は、各々Ｃ２０鎖長未満を有する。Ｘ−は、アニオン性対イオンである。「アニオン性対イオン」という用語は、第４級アンモニウムと塩を形成することができる任意のイオンを含む。好適な対イオンの例としては、塩化物および臭化物のようなハロゲン化物、プロピオネート、メトサルフェート、サッカリネート（ｓａｃｃｈａｒｉｎａｔｅｓ）、エトサルフェート、水酸化物、酢酸塩、リン酸塩、炭酸塩（例えばＬｏｎｚａからＣａｒｂｏｑｕａｔ  Ｈとして市販される）、および硝酸塩が挙げられる。好ましくは、アニオン性対イオンは、塩化物である。
【００７８】
いくつかの実施形態において、２０未満の炭素鎖を有する第４級アンモニウムは、本発明の組成物中に含まれる。本発明において有用な第４級アンモニウム化合物の例としては、いくつか挙げると、アルキルジメチルベンジルアンモニウムクロリド、アルキルジメチルエチルベンジルアンモニウムクロリド、オクチルデシルジメチルアンモニウムクロリド、ジオクチルジメチルアンモニウムクロリド、およびジデシルジメチルアンモニウムクロリドが挙げられるが、これらに限定されない。単一の第４級アンモニウムまたは２つ以上の第４級アンモニウムの組み合わせは、本発明の組成物に含まれ得る。本発明で有用な第４級アンモニウム化合物のさらなる例としては、ベンゼトニウムクロリド、エチルベンゼトニウムクロリド、ミリスチルトリメチルアンモニウムクロリド、メチルベンゼトニウムクロリド、セタルコニウムクロリド、セトリモニウムブロミド（ＣＴＡＢ）、カルニチン、ドファニウムクロリド、テトラエチルアンモニウムブロミド（ＴＥＡＢ）、ドミフェンブロミド、ベンゾドデシニウムブロミド、ベンゾオキソニウムクロリド、コリン、コカミドプロピルベタイン（ＣＡＰＢ）、およびデナトニウムが挙げられるが、これらに限定されない。
【００７９】
いくつかの実施形態において、２０未満またはＣ２〜Ｃ２０の炭素鎖を有する第４級アンモニウムは、本発明の組成物中に含まれる。いくつかの実施形態において、Ｃ６〜Ｃ１８、Ｃ１２〜Ｃ１８、Ｃ１２〜Ｃ１６、およびＣ６〜Ｃ１０の炭素鎖を有する第４級アンモニウムは、本発明の組成物中に含まれる。本発明において有用な第４級アンモニウム化合物の例としては、いくつか挙げると、アルキルジメチルベンジルアンモニウムクロリド、アルキルジメチルエチルベンジルアンモニウムクロリド、オクチルデシルジメチルアンモニウムクロリド、ジオクチルジメチルアンモニウムクロリド、およびジデシルジメチルアンモニウムクロリドが挙げられるが、これらに限定されない。単一の第４級アンモニウムまたは２つ以上の第４級アンモニウムの組み合わせは、本発明の組成物に含まれ得る。本発明で有用な第４級アンモニウム化合物のさらなる例としては、ベンゼトニウムクロリド、エチルベンジルアルコニウムクロリド、ミリスチルトリメチルアンモニウムクロリド、メチルベンゼトニウムクロリド、セタルコニウムクロリド、セトリモニウムブロミド（ＣＴＡＢ）、カルニチン、ドファニウムクロリド、テトラエチルアンモニウムブロミド（ＴＥＡＢ）、ドミフェンブロミド、ベンゾドデシニウムブロミド、ベンゾオキソニウムクロリド、コリン、コカミドプロピルベタイン（ＣＡＰＢ）、デナトニウム、およびこれらの混合物が挙げられるが、これらに限定されない。一態様において、例えば、市販製品のＢａｒｄａｃ  ２０５／２０８Ｍのような、第４級アンモニウム化合物の組み合わせは、本発明の組成物に特に好ましい。
【００８０】
いくつかの実施形態において、Ｒ基、アニオンの性質、および存在する第４級窒素原子の数に応じて、抗微生物第４級アンモニウム化合物は、以下のカテゴリー：モノアルキルトリメチルアンモニウム塩；モノアルキルジメチルベンジルアンモニウム塩；ジアルキルジメチルアンモニウム塩；ヘテロ芳香族アンモニウム塩；多置換第４級アンモニウム塩；ビス−第４級アンモニウム塩；およびポリマー第４級アンモニウム塩のうちの１つに分類され得る。各々のカテゴリーは、本明細書中で論じられるであろう。
【００８１】
モノアルキルトリメチルアンモニウム塩は、長鎖アルキル基である１つのＲ基を含み、残余のＲ基は、メチルまたはエチル基のような短鎖アルキル基である。モノアルキルトリメチルアンモニウムのいくつかの非限定的な例としては、商標名Ｒｈｏｄａｑｕａｔ  Ｍ２４２Ｃ／２９およびＤｅｈｙｑｕａｒｔ  Ａで市販されるセチルトリメチルアンモニウムブロミド；Ａｒｑｕａｄ  １６として市販されるアルキルトリメチルアンモニウムクロリド；アルキルアリールトリメチルアンモニウムクロリド；ならびにＡｍｍｏｎｙｘ  ＤＭＥとして市販されるセチルジメチルエチルアンモニウムブロミドが挙げられる。
【００８２】
モノアルキルジメチルベンジルアンモニウム塩は、長鎖アルキル基である１つのＲ基、ベンジルラジカルである第２のＲ基を含み、２つの残余のＲ基は、メチルまたはエチル基のような短鎖アルキル基である。モノアルキルジメチルベンジルアンモニウム塩は、非イオン性界面活性剤、洗剤ビルダー、香料および他の成分と一般に適合する。モノアルキルジメチルベンジルアンモニウム塩のいくつかの非限定的な例としては、Ｌｏｎｚａ  Ｉｎｃ．からＢａｒｑｕａｔとして市販される、アルキルジメチルベンジルアンモニウムクロリド、およびＬｏｎｚａ  Ｉｎｃ．からＬｏｎｚａｇａｒｄとして市販される、ベンゼトニウムクロリドが挙げられる。加えて、モノアルキルジメチルベンジルアンモニウム塩は、置換されてもよい。そのような塩の非限定的な例としては、ドデシルジメチル−３，４−ジクロロベンジルアンモニウムクロリドが挙げられる。最終的に、Ｓｔｅｐａｎ  ＣｏｍｐａｎｙからＢＴＣ  ２１２５Ｍとして市販される、およびＬｏｎｚａ  ＩｎｃよりＢａｒｑｕａｔ  ４２５０として市販される、アルキルジメチルベンジルとアルキルジメチル置換ベンジル（エチルベンジル）アンモニウムクロリドの混合物が存在する。
【００８３】
ジアルキルジメチルアンモニウム塩は、長鎖アルキル基である２つのＲ基を含み、残余のＲ基は、メチル基のような短鎖アルキル基である。ジアルキルジメチルアンモニウム塩のいくつかの非限定的な例としては、Ｌｏｎｚａ  Ｉｎｃ．からＢａｒｄａｃ  ２２として市販されるジデシルジメチルアンモニウムハライド、Ｌｏｎｚａ  Ｉｎｃ．からＢａｒｄａｃ  ２２５０として市販されるジデシルジメチルアンモニウムクロリド、Ｌｏｎｚａ  Ｉｎｃ．からＢａｒｄａｃ  ＬＦおよびＢａｒｄａｃ  ＬＦ−８０として市販される、ジオクチルジメチルアンモニウムクロリド、ならびにＬｏｎｚａ  Ｉｎｃ．からＢａｒｄａｃ２０５０および２０８０として市販される、ジデシルおよびジオクチルジメチルアンモニウムクロリドとの混合物として販売されるオクチルデシルジメチルアンモニウムクロリドが挙げられる。
【００８４】
ヘテロ芳香族アンモニウム塩は、長鎖アルキル基である１つのＲ基を含み、残余のＲ基は、いくつかの芳香族系によって提供される。したがって、Ｒ基が結合する第４級窒素は、ピリジン、キノリン、またはイソキノリンのような芳香族系の部分である。ヘテロ芳香族アンモニウム塩のいくつかの非限定的な例としては、Ｚｅｅｌａｎｄ  Ｃｈｅｍｉｃａｌ  Ｉｎｃ．からＳｕｍｑｕａｔ  ６０６０／ＣＰＣとして市販される、セチルピリジニウムハライド、Ｔｈｅ  Ｄｏｗ  Ｃｈｅｍｉｃａｌ  ＣｏｍｐａｎｙからＤｏｗｉｃｉｌ  ２００として市販される、１−［３−クロロアルキル］−３，５，７−トリアザ−１−アゾニアアダマンタン、およびアルキル−イソキノリニウムブロミドが挙げられる。
【００８５】
ポリ置換第４級アンモニウム塩は、分子のアニオン部分が、大きな高分子量（ＭＷ）の有機イオンである、モノアルキルトリメチルアンモニウム塩、モノアルキルジメチルベンジルアンモニウム塩、ジアルキルジメチルアンモニウム塩、またはヘテロ芳香族アンモニウム塩である。ポリ置換第４級アンモニウム塩のいくつかの非限定的な例としては、アルキルジメチルベンジルアンモニウムサッカリネート、およびジメチルエチルベンジルアンモニウムシクロヘキシルスルファメートが挙げられる。
【００８６】
ビス−第４級アンモニウム塩は、一般式：
【化３】
2022000512.tif 000006
を有する２つの対称的な第４級アンモニウム部分を含み、式中、Ｒ基は長鎖もしくは短鎖アルキル、ベンジルラジカルであってもよく、または芳香族系によって提供されてもよい。Ｚは、各々の第４級窒素へと結合する炭素−水素鎖である。ビス−第４級アンモニウム塩のいくつかの非限定的な例としては、１，１０−ビス（２−メチル−４−アミノキノリニウムクロリド）−デカン、および１，６−ビス［１−メチル−３−（２，２，６−トリメチルシクロヘキシル）−プロピルジメチルアンモニウムクロリド］ヘキサンまたはトリクロビソニウムクロリドが挙げられる。
【００８７】
一態様において、第４級アンモニウム化合物は、８個の炭素〜約２０個の炭素、８個の炭素〜約１８個の炭素、約１０〜約１８個の炭素、および約１２〜約１６個の炭素などの中〜長鎖のアルキルＲ基であり、可溶性で良好な抗微生物薬をもたらす。
【００８８】
一態様において、第４級アンモニウム化合物は、２個の炭素〜約１２個の炭素、３個の炭素〜約１２個の炭素、または６個の炭素〜約１２個の炭素などのＲ基を有する短ジアルキル鎖の第４級アンモニウム化合物である。
【００８９】
好ましい態様において、第４級アンモニウム化合物は、アルキルベンジルアンモニウムクロリド、ジアルキルベンジルアンモニウムクロリド、アルキルベンジルアンモニウムクロリドとジアルキルベンジルアンモニウムクロリドとのブレンド、ジデシルジメチルアンモニウムクロリド、ジオクチルジメチルアンモニウムクロリド、ジデシルジメチルアンモニウムクロリドとジオクチルジメチルアンモニウムクロリドとのブレンド、またはこれらの混合物である。好ましい実施形態において、本発明の洗浄組成物で使用される第４級アンモニウム化合物は、ジアルキル第４級アンモニウムとアルキルベンジル第４級アンモニウムとの混合物からなる。
【００９０】
洗浄組成物を提供する本発明の実施形態によると、有効量の第４級アンモニウム化合物は、Ｅ．ｃｏｌｉのようなグラム陰性微生物を含む、広範囲のスペクトラムの微生物に対して抗微生物有効性を提供するために、ポリマーと組み合わせて提供される。そのような使用溶液中の第４級アンモニウム化合物の好適な濃度は、少なくとも約１０ｐｐｍ、少なくとも約５０ｐｐｍ、または少なくとも約１００ｐｐｍ、または少なくとも約１５０ｐｐｍ、または少なくとも約２００ｐｐｍ、または少なくとも約２５０ｐｐｍ、または少なくとも約３００ｐｐｍ、または約１００〜５００ｐｐｍ、または約１００〜３００ｐｐｍ、またはその中の任意の範囲を含む。いくつかの態様において、本発明による活性化微生物組成物は、アニオン性界面活性剤および／または酸と組み合わせた相乗効果による約１５０ｐｐｍ未満、または約１００ｐｐｍ未満の濃度での任意の抗微生物有効性のための１５０ｐｐｍを超える第４級アンモニウム化合物のグラム陰性従来要件に対する有効性を提供する。本発明により限定されるものではないが、全ての列挙される範囲は、その範囲を定義する数を含み、その定義される範囲内の各整数を含む。
【００９１】
洗浄組成物の使用溶液中の第４級アンモニウム化合物の追加の好適な濃度は、約１ｐｐｍ〜約１０，０００ｐｐｍ、１ｐｐｍ〜約１，０００ｐｐｍ、５ｐｐｍ〜約４００ｐｐｍ、１０ｐｐｍ〜約４００ｐｐｍ、２０ｐｐｍ〜約４００ｐｐｍ、２５ｐｐｍ〜約４００ｐｐｍ、５０ｐｐｍ〜約４００ｐｐｍ、７５ｐｐｍ〜約４００ｐｐｍ、または１００ｐｐｍ〜約４００ｐｐｍを含む。洗浄組成物の使用溶液中の第４級アンモニウム化合物の追加の好適な濃度は、約０．０００１重量％〜約１０重量％、約０．００１重量％〜約１０重量％、約０．０１重量％〜約１０重量％、約１．０重量％〜約１０重量％を含む。本発明により限定されるものではないが、全ての列挙される範囲は、その範囲を定義する数を含み、その定義される範囲内の各整数を含む。
【００９２】
酸消毒剤
様々な酸消毒剤を本発明に従って使用することができる。本発明の実施形態では、酸消毒剤は、カルボン酸、過酸、鉱酸、有機酸、アミノ酸、脂肪酸、直鎖アルキルベンゼンであり得る。酸消毒剤のそれぞれの誘導体および組み合わせが本発明によって使用され得ることを理解されたい。
【００９３】
本発明の一態様では、酸消毒剤は、カルボン酸である。一般に、カルボン酸は、式Ｒ−ＣＯＯＨを有し、式中、Ｒは、全て飽和または不飽和、および置換または非置換であり得る、脂肪族基、脂環式基、芳香族基、複素環式基を含む任意の数の異なる基を表し得る。１、２、３個以上のカルボキシル基を有するカルボン酸も発生する。カルボン酸は、カルボキシル基の水素原子が活性であり、アニオンとして出現し得るため、それらが存在する水性組成物を酸性化する傾向を有する。本組成物内のカルボン酸構成要素は、水性過酸化水素と組み合わされる場合、一般に、活性水素原子の存在の結果として抗微生物剤として機能する。また、本発明内のカルボン酸構成要素は、組成物を酸性ｐＨに維持する。そのようなカルボン酸の例には、酢酸、クエン酸、コハク酸、アジピン酸、ヒドロキシ酢酸、および乳酸が含まれるが、これらに限定されない。当業者は、他のカルボン酸が本発明の目的に使用され得ることを理解するであろう。
【００９４】
ペルオキシ脂肪酸、モノペルオキシ−またはジペルオキシジカルボン酸、およびペルオキシ芳香族酸などの様々なＣ６〜Ｃ１８ペルオキシ酸が、本発明の組成物において使用され得る。本発明で使用されるＣ６〜Ｃ１８ペルオキシ酸は、次のように構造的に表され得、Ｒ１−−ＣＯ３Ｈ、式中、Ｒ１は、約５〜１７個の炭素原子を有する炭化水素部分である（Ｃ１８ペルオキシ酸は、一般にＣ７−−ＣＯ３  Ｈとして構造的に表される）。Ｒ１は、組成物全体の抗微生物特性が著しく影響されない限り、鎖中に置換基、例えば、−−ＯＨ、ＣＯ２  Ｈ、またはヘテロ原子（例えば、アルキルエーテルカルボン酸にあるような−−Ｏ−−）を有し得る。「Ｒ１」置換基またはヘテロ原子は、本明細書に記載のカルボン酸の全体的な酸性度（すなわち、ｐＫａ）を変化し得ることが認識すべきである。そのような修飾は、有利な抗微生物性能が維持される限り、本発明の企図の範囲内である。さらに、Ｒ１は、直鎖、分岐、環式、または芳香族であり得る。好ましい炭化水素部分（すなわち、好ましいＲ１の）には、７〜１１個の炭素原子（または分子あたり８〜１２個の炭素原子）を有する直鎖飽和炭化水素脂肪族部分を含む。
【００９５】
過酸化水素と反応させてペルオキシ脂肪酸を形成することができる好適なＣ６〜Ｃ１８カルボン酸の具体例には、ヘキサン酸（Ｃ６）、エナント酸（ヘプタン酸）（Ｃ７）、カプリル酸（オクタン酸）（Ｃ８）、ペラルゴン酸（ノナン酸）（Ｃ９）、カプリン酸（デカン酸）（Ｃ１０）、ウンデシル酸（ウンデカン酸）（Ｃ１１）、ラウリン酸（ドデカン酸）（Ｃ１２）、トリデシル酸（トリデカン酸）（Ｃ１３）、ミリスチン酸（テトラデカン酸）（Ｃ１４）、パルミチン酸（ヘキサデカン酸）（Ｃ１６）、およびステアリン酸（オクタデカン酸）（Ｃ１８）などの飽和脂肪酸が含まれる。これらの酸は、天然および合成源の両方に由来し得る。天然源には、完全に水素化されるべきである動物および植物脂肪または油が含まれる。合成酸は、石油ワックスの酸化によって生成することができる。本発明の組成物における使用に特に好ましいペルオキシ脂肪酸は、ペルオキシオクタン酸、ペルオキシデカン酸、またはそれらの混合物などの直鎖モノペルオキシ脂肪族脂肪酸である。
【００９６】
他の好適なＣ６〜Ｃ１８ペルオキシ酸は、ジカルボン酸および芳香族酸の酸化から誘導される。好適なジカルボン酸には、アジピン酸（Ｃ６）およびセバシン酸（Ｃ１０）が含まれる。好適な芳香族酸の一例は、安息香酸である。これらの酸は、過酸化水素と反応させて、本発明の組成物における使用に適した過酸形態を形成することができる。この群の好ましい過酸には、モノペルオキシ−またはジペルオキシアジピン酸、モノペルオキシ−またはジペルオキシセバシン酸、およびペルオキシ安息香酸が含まれる。
【００９７】
上記ペルオキシ酸は、グラム陽性（例えば、Ｓｔａｐｈｙｌｏｃｏｃｃｕｓ  ａｕｒｅｕｓ）およびグラム陰性（例えば、Ｅｓｃｈｅｒｉｃｈｉａ  ｃｏｌｉ）微生物、酵母、カビ、細菌胞子などのような多種多様な微生物に対する抗微生物活性を提供する。上記Ｃ６〜Ｃ１８ペルオキシ酸がＣ１〜Ｃ４ペルオキシカルボン酸と組み合わされる場合、Ｃ１〜Ｃ４ペルオキシカルボン酸単独またはＣ６〜Ｃ１８ペルオキシ酸単独と比較して、大いに改良された活性が示される。Ｃ１〜Ｃ４ペルオキシカルボン酸成分は、酸と過酸化水素とを反応させることにより、Ｃ１〜Ｃ４カルボン酸またはジカルボン酸から誘導することができる。好適なＣ１〜Ｃ４カルボン酸の例には、酢酸、プロピオン酸、グリコール酸、およびコハク酸が含まれる。本発明の組成物における使用に好ましいＣ１〜Ｃ４ペルオキシカルボン酸には、ペルオキシ酢酸、ペルオキシプロピオン酸、ペルオキシグリコール酸、ペルオキシコハク酸、またはそれらの混合物が含まれる。
【００９８】
本発明の組成物に使用される過酸成分は、過酸化水素（Ｈ２Ｏ２）溶液を所望の量の酸と混合することにより、簡単な方法で製造することができる。より高分子量の脂肪酸では、脂肪酸を可溶化するのを助けるために、ヒドロトロープカプラーが必要となり得る。本発明の過酸組成物を生成するために、Ｈ２Ｏ２溶液を、過酢酸または様々な過脂肪酸などの予め作製された過酸に添加することもできる。濃縮物は、約１〜５０重量％、好ましくは約５〜２５重量％の過酸化水素を含有することができる。１９９１年７月３１日に出願された米国特許第５，２００，１８９号は、洗浄組成物における過酸の使用をさらに開示しており、参照によりその全体が本明細書に組み込まれている。
【００９９】
本発明の一態様では、酸消毒剤は、鉱酸、すなわち、無機酸である。そのような鉱酸の例には、リン酸、スルファミン酸、硫酸、硝酸、および塩酸が含まれるが、これらに限定されない。一般に、全ての鉱酸は、水に溶解されるとき水素イオンおよび共役塩基イオンを形成する。例えば、硫酸は、完全なイオン化によって水溶液中の硫酸水素を形成し、ヒドロニウムイオンおよび硫酸水素を形成する。そのような共役塩基も、本発明の目的に有用な酸成分である。
【０１００】
本発明の一態様では、酸消毒剤は、有機酸である。好適な有機酸は、メタンスルホン酸、エタンスルホン酸、プロパンスルホン酸、ブタンスルホン酸、キシレンスルホン酸、クメンスルホン酸、ベンゼンスルホン酸、ギ酸、酢酸、モノ、ジ、またはトリハロカルボン酸、ピコリン酸、ジピコリン酸、およびそれらの混合物を含むが、これらに限定されない。
【０１０１】
本発明の一態様では、酸消毒剤は、アミノ酸および／またはアミノ酸誘導体である。一般的に、アミノ酸は、通常各アミノ酸への側鎖基と共に、アミン官能基およびカルボン酸官能基を含有する。好適なアミノ酸および／またはアミノ酸誘導体には、アラニン、アルギニン、アスパラギン、アスパラギン酸、システイン、グルタミン酸、グルタミン、グリシン、ヒスチジン、イソロイシン、ロイシン、リジン、メチオニン、フェニルアラニン、プロリン、セリン、スレオニン、トリプトファン、チロシン、バリン、セレノシステイン、ピロリジン、およびそれらの誘導体が含まれるが、これらに限定されない。
【０１０２】
本発明の一態様では、酸消毒剤は、脂肪酸および／または脂肪酸界面活性剤である。抗微生物活性酸が消毒作業に使用されている。例えば、米国特許第４０４，０４０号は、脂肪族、短鎖脂肪酸、脂肪酸のヒドロトロープまたは可溶化剤、およびヒドロトロープ適合性酸を含む消毒組成物について記載しており、米国特許第５，３３０，７６９号は、個々の量の殺菌有効脂肪酸、ヒドロトロープ、最終溶液のｐＨを約１〜５に下げるのに十分なリン酸および硫酸またはそれらの混合物からなる強酸群、ならびにプロピオン酸、酪酸、および吉草酸、ならびにそれらの混合物からなる群から選択される弱酸成分を安定させる濃縮物を含む、脂肪酸消毒剤濃縮物および希釈最終溶液について記載している。本明細書で使用されるとき、「脂肪酸」という用語は、アルキル鎖を含むカルボン酸の群のいずれかを含む。いくつかの実施形態では、アルキル基は、直鎖または分岐、および飽和または不飽和であり得る。アルキル基の鎖は、任意の長さの炭素原子を含有する。いくつかの実施形態では、アルキル基の鎖は、４〜１２個の炭素原子、５〜１１個の炭素原子、または８〜１０個の炭素原子を含有する。例示的な脂肪酸は、ヘキサン酸、ヘプタン酸、オクタン酸、ノナン酸、デカン酸、ラウリン酸、パルミチン酸、ステアリン酸、オレイン酸、カプロン酸、カプリル酸、カプリン酸、およびそれらの混合物から選択することができる。例示的なより長いアルキル鎖脂肪酸は、例えば、ミリスチン酸、アラキジン酸、ベヘン酸、リグノセリン酸、セロチン酸、ミリストレイン酸、パルミトレイン酸、サピエン酸、エライジン酸、バクセン酸、リノール酸、リノレイン酸、ａ−リノレン酸、アラキドン酸、エイコサペンタエン酸、エルカ酸、デコサヘキサエン酸、ガドレイン酸、エルカ酸、マルガリン酸、ベヘン酸、リシノール酸、リグノセリン酸、リカニン酸、エレオステアリン酸、およびそれらの混合物から選択することができる。
【０１０３】
本発明の一態様では、酸消毒剤は、直鎖アルキルベンゼンである。好適な直鎖アルキルベンゼンには、直鎖アルキルベンゼンスルホン酸塩（ＬＡＳ）および直鎖アルキルベンゼンスルホン酸（ＬＡＢＳＡ）が含まれる。使用することができる他のものは、アルキルベンゼンスルホン酸塩、アルキルスルホン酸塩、アルキルエーテル硫酸塩、アルファオレフィンスルホン酸塩、アルキルサルコシン酸塩、およびそれらの混合物である。
【０１０４】
酸化剤
本発明の一実施形態によれば、洗浄組成物は、少なくとも１つの酸化剤および少なくとも１つのポリマー化合物を含む。酸化剤は、カチオン性、非イオン性、および／またはアニオン性ポリマーと適合性のある任意の酸化剤であり得る。そのような酸化剤の例には、過酸化水素、過炭酸ナトリウム、過ヨウ素酸ナトリウム、過硫酸ナトリウム、過硫酸アンモニウム、過ホウ酸ナトリウム、過酸化ナトリウム、過酸化カルシウム、酸化銀（ＩＩ）、オゾン、二酸化塩素などの非有機酸化性物質が含まれる。酸化剤には、有機酸化性物質、例えば、過酸化ベンゾイルなどの過酸化ジアシル、２，４−ペルタンジオン過酸化物などのケトン過酸化物、ジイソプロピルペルオキシジカーボネートなどのペルオキシジカーボネート、ｔ−ブチルペルオキシマレイン酸などのペルオキシエステル、過酸化ジクミルなどの過酸化ジアルキル、ｔ−ブチルヒドロペルオキシドなどのヒドロペルオキシイド、および２，２−ジ（ｔ−ブチルペルオキシ）ブタンなどのペルオキシケタールも含まれる。追加の酸化剤は、１９９４年６月１日に出願された米国特許第５，６１６，６１６号に開示され、その全体が参照により本明細書に組み込まれる。
【０１０５】
アミン
洗浄成分は、抗微生物アミンでもあり得る。アミンは、第１級、第２級、または第３級アミンであり得る。あるいは、組成物は、第４級アンモニウム化合物を含むことができる。システム中のアミン濃度は、約０．５〜約８．５重量％、約１．０〜約３．０重量％、または約１．２５〜約２．０重量％の範囲であり得る。アミンは、好ましくは第３級アミンである。しかし、他の例示的な抗微生物アミンは、脂肪族アミン；脂肪族アンモニウム塩のような脂肪族アミン塩；ＰＡ−１９、ＰＡ−１６１８、ＰＡ−１８１６、ＤＡ−１８、ＤＡ−１９、ＤＡ−１６１８、ＤＡ−１８１６としてＴｏｍａｈ  Ｐｒｏｄｕｃｔｓから市販されているもののようなエーテルアミン；あるいは（独立して）Ｒ１＝直鎖飽和もしくは不飽和Ｃ６〜Ｃ１８アルキル、Ｒ２＝直鎖もしくは分岐Ｃ１〜Ｃ８アルキル、およびＲ３＝直鎖もしくは分岐Ｃ１〜Ｃ８アルキル、またはＲ１＝直鎖Ｃ１２〜Ｃ１６アルキル、Ｒ２＝Ｃ２〜Ｃ６直鎖もしくは分岐アルキル、およびＲ３＝Ｃ２〜Ｃ６直鎖もしくは分岐アルキル、またはＲ１＝直鎖アルキルＣ１２〜Ｃ１６、もしくは直鎖アルキルＣ１０〜Ｃ１２およびＣ１４〜Ｃ１６の混合物、Ｒ２＝Ｃ３、およびＲ３＝Ｃ３である、式Ｒ１−Ｏ−Ｒ２−ＮＨ２、Ｒ１−Ｏ−Ｒ２−ＮＨ−Ｒ３−ＮＨ２、またはそれらの混合物を有するエーテルアミン；エーテルアンモニウム塩のようなエーテルアミン塩；Ｎ−ココ−１，３−プロピレンジアミン（Ｄｕｏｍｅｅｎ（登録商標）−ＡｋｚｏＣｈｅｍｉｅ  Ａｍｅｒｉｃａ、Ａｒｍａｋ  Ｃｈｅｍｉｃａｌｓなど）、Ｎ−オレイル−１，３−プロピレンジアミン（Ｄｕｏｍｅｅｎ（登録商標）−ＡｋｚｏＣｈｅｍｉｅ  Ａｍｅｒｉｃａ、Ａｒｍａｋ  Ｃｈｅｍｉｃａｌｓなど）、Ｎ−タロウ−１，３−プロピレンジアミン（Ｄｕｏｍｅｅｎ（登録商標）−Ａｋｚｏ  Ｃｈｅｍｉｅ  Ａｍｅｒｉｃａ、Ａｒｍａｋ  Ｃｈｅｍｉｃａｌｓなど）のようなジアミン；酢酸ジアミン（または他の対イオン）のようなジアミン塩、あるいはＲ１＝Ｃ１０〜Ｃ１８脂肪族基、もしくはＲ１０＝Ｃ１０〜Ｃ１８脂肪族基およびＲ１１＝Ｃ１〜Ｃ５アルキル基である式Ｒ１０ＯＲ１１を有するエーテル基、ならびにＲ２＝Ｃ１〜Ｃ５アルキレン基、またはＲ１＝脂肪酸に由来するＣ１０〜Ｃ１８脂肪族基、およびＲ２＝プロピレンである、式［（Ｒ１）ＮＨ（Ｒ２）ＮＨ３］＋（ＣＨ３ＣＯＯ）−または［（Ｒ１）ＮＨ２（Ｒ２）ＮＨ３＋］＋（ＣＨ３ＣＯＯ）２−を有するジアミン塩である。さらなる好適なアミンは、２０１０年４月５日に出願された米国特許第７，９６４，５４８号に開示されており、参照によりその全体が本明細書に組み込まれる。
【０１０６】
ポリマー成分
本発明による洗浄組成物は、ポリマー成分を含む。表１に示されるように、洗浄成分の選択は、洗浄、消毒、殺菌、および／または抗微生物有効性を有益に提供しながら、所望の低減した吸入リスクを達成するために、ポリマーの所望の電荷に影響を与える。本発明の一態様では、ポリマーは、カチオン、非イオン、またはアニオン電荷を有し得、逆エマルジョンポリマー、分散ポリマー、粉末ポリマー、および／またはキサンタンガムの形態であり得る。
【０１０７】
逆エマルジョンポリマー
本発明の一実施形態による洗浄組成物は、逆エマルジョンポリマーを含む。一態様では、逆エマルジョンポリマーは、水溶性改質ポリマーである。一態様では、逆エマルジョンポリマーは、カチオン性、アニオン性、非イオン性、両性、および／または会合性であり得る。エマルジョンポリマーおよびラテックスポリマーという用語は、本明細書では互換的に使用され得、カチオン性、アニオン性、非イオン性、および／または双性イオン性ポリマーを含む油中水（Ｗ／Ｏ）型エマルジョンポリマーを指す。
【０１０８】
一態様では、逆エマルジョンポリマーは、約３，０００Ｄａ〜約５０００万Ｄａ、約５００，０００Ｄａ〜約３０００万Ｄａ、約１００万Ｄａ〜約２５００万Ｄａ、好ましくは約３００万Ｄａ〜約２０００万Ｄａの高分子量を有する。
【０１０９】
一態様では、逆エマルジョンポリマーは、約１超、より好ましくは約６超、さらにより好ましくは約１５〜約３０ｄｌ／ｇの固有粘度を有する。逆エマルジョンポリマーの低減した比粘度は、一般に３超、好ましくは約８超、しばしば約２４ｄｌ／ｇ超である。
【０１１０】
一態様では、本発明による逆エマルジョンポリマーは、約０．１〜約１０ミクロン、好ましくは約０．２５〜約３ミクロンの範囲の粒径を有する。
【０１１１】
一態様では、本発明による逆エマルジョンポリマーは、約５０〜５０００ｃＰｓ、好ましくは約１００〜２０００ｃＰｓの範囲のバルク粘度を有する。
【０１１２】
本発明による逆エマルジョンポリマーは、不活性疎水性相中の水性液滴を含有する柔軟なポリマー鎖の安定化した分散物である。一態様では、逆エマルジョンポリマーは、（１）疎水性または炭化水素連続油相、（２）水相、および（３）油中水型乳化剤（すなわち、界面活性剤系）を含む３つの成分で構成される。一態様では、逆エマルジョンポリマーは、炭化水素マトリックス内に分散された水溶性ポリマーと連続した炭化水素である。次いで、逆エマルジョンポリマーは、せん断、希釈、および一般的には別の界面活性剤を使用して粒子からポリマーを放出することにより、使用のために「反転」または活性化される。参照により本明細書に組み込まれる、米国特許第３，７３４，８７３号を参照されたい。高分子量逆エマルジョンポリマーの代表的な調製物は、米国特許第２，９８２，７４９号、同第３，２８４，３９３号、および同第３，７３４，８７３号に記載されており、これらはそれぞれ参照により本明細書に組み込まれる。
【０１１３】
別の態様では、逆エマルジョンポリマーは、それぞれ参照により本明細書に組み込まれる、米国特許第６，６０５，６７４号および同第６，７５３，３８８号に開示されるように、ポリマー溶液を形成するためのフリーラジカル重合条件下でのモノマーの水溶液の重合によって形成される。好ましい態様では、逆エマルジョンポリマーは、ラジカル重合によって油溶性および／または水溶性開始剤を使用することにより、疎水性連続相に乳化したエチレン性不飽和水溶性または水分散性モノマーおよび／またはコモノマーの水溶液を重合することにより得られる。
【０１１４】
本明細書で使用されるとき、逆エマルジョンポリマーの「モノマー」という用語は、重合可能なアリル、ビニル、またはアクリル化合物を意味する。モノマーは、アニオン性、カチオン性、非イオン性、および／または双性イオン性であり得る。いくつかの実施形態では、ビニルモノマーが好ましく、他の実施形態では、アクリル酸またはその塩、Ｎ−ｔ−ブチルアクリルアミドスルホン酸（ＡＴＢＳ）またはその塩、アクリルアミド第３級ブチルスルホン酸またはその塩、および２−（アクリロイルオキシ）−Ｎ，Ｎ，Ｎ−トリメチルエタンアンミニウム（ＤＭＡＥＡ．ＭＣＱ）などのアクリル酸および／またはアクリルアミドモノマーがより好ましい。
【０１１５】
一実施形態において、非イオン性モノマーは、中性、酸性、アルカリ性、および／または酸化性洗浄組成物における使用に特に適している。代表的な非イオン性水溶性モノマーには、アクリルアミド、メタクリルアミド、Ｎ，Ｎ−ジメチルアクリルアミド、Ｎ，Ｎ−ジエチルアクリルアミド、Ｎ−イソプロピルアクリルアミド、Ｎ−ビニルホルムアミド、Ｎ−ビニルメチルアセトアミド、Ｎ−ビニルピロリドン、ヒドロキシエチルメタクリレート、ヒドロキシエチルアクリレート、ヒドロキシプロピルアクリレート、ヒドロキシプロピルメタクリレート、Ｎ−ｔｅｒｔ−ブチルアクリルアミド、Ｎ−メチロールアクリルアミドなどが含まれる。
【０１１６】
一実施形態では、アニオン性モノマーは、アルカリ性、中性、および／または酸化性洗浄組成物における使用に特に適している。代表的なアニオン性モノマーには、アクリル酸、ならびにアクリル酸ナトリウム、およびアクリル酸アンモニウムを含むが、これらに限定されない、その塩、メタクリル酸、ならびにメタクリル酸ナトリウム、およびメタクリル酸アンモニウムを含むが、これらに限定されない、その塩、２−アクリルアミド−２−メチルプロパンスルホン酸（ＡＴＢＳ）、ＡＴＢＳのナトリウム塩、アクリルアミド第３級ブチルスルホン酸もしくはその塩、ビニルスルホン酸ナトリウム、スルホン酸スチレン、マレイン酸、ならびにナトリウム塩、およびアンモニウム塩を含むが、これらに限定されない、その塩、スルホン酸塩、イタコン酸塩、アクリル酸もしくはメタクリル酸スルホプロピル、またはこれらもしくは他の重合可能なカルボン酸もしくはスルホン酸の他の水溶性形態が含まれる。スルホメチル化アクリルアミド、スルホン酸アリル、ビニルスルホン酸ナトリウム、イタコン酸、アクリルアミドメチルブタン酸、フマル酸、ビニルホスホン酸、ビニルスルホン酸、アリルホスホン酸、スルホメチル化アクリルアミド、ホスホノメチル化アクリルアミドなど。
【０１１７】
一実施形態では、カチオン性モノマーは、酸性および／または酸化性洗浄組成物における使用に特に適している。代表的なカチオン性モノマーには、ジアルキルアミノアルキルアクリレートおよびメタクリレート、ならびにジメチルアミノエチルアクリレートメチルクロリド第４級塩、ジメチルアミノエチルアクリレートメチルスルフェート第４級塩、ジメチルアミノエチルアクリレートベンジルクロリド第４級塩、ジメチルアミノエチルアクリレート硫酸塩、ジメチルアミノエチルアクリレート塩酸塩、ジメチルアミノエチルメタクリレートメチルクロリド第４級塩、ジメチルアミノエチルメタクリレートメチルスルフェート第４級塩、ジメチルアミノエチルメタクリレートベンジルクロリド第４級塩、ジメチルアミノエチルメタクリレート硫酸塩、ジメチルアミノエチルメタクリレート塩酸塩、ジアルキルアミノアルキルアクリルアミドまたはメタクリルアミドおよびそれらの第４級または酸塩、例えば、アクリルアミドプロピルトリメチルアンモニウムクロリド、ジメチルアミノエチルアクリレートメチルクロリド第４級塩、ジメチルアミノエチルアクリレートベンジルクロリド第４級塩、ジメチルアミノエチルメタクリレートメチルクロリド第４級塩、ジメチルアミノエチルメタクリレートベンジルクロリド第４級塩、メタクリルアミドプロピルトリメチルアンモニウムクロリド、ジメチルアミノプロピルアクリルアミドメチルスルフェート第４級塩、ジメチルアミノプロピルアクリルアミド硫酸塩、ジメチルアミノプロピルアクリルアミド塩酸塩、メタクリルアミドプロピルトリメチルアンモニウムクロリド、ジメチルアミノプロピルメタクリルアミドメチルスルフェート第４級塩、ジメチルアミノプロピルメタクリルアミド硫酸塩、ジメチルアミノプロピルメタクリルアミド塩酸塩、ジエチルアミノエチルアクリレート、ジエチルアミノエチルメタクリレート、ジアリルジエチルアンモニウムクロリド、ジアリルジメチルアンモニウムクロリドなどを含むが、これらに限定されない、それらの第４級または酸塩が含まれる。
【０１１８】
一実施形態では、双性イオン性モノマーは、中性、酸性、アルカリ性、および／または酸化性洗浄組成物における使用に特に適している。代表的な双性イオン性モノマーには、Ｎ，Ｎ−ジメチル−Ｎ−アクリロイルオキシエチル−Ｎ−（３−スルホプロピル）−アンモニウムベタイン、Ｎ，Ｎ−ジメチル−Ｎ−アクリルアミドプロピル−Ｎ−（２−カルボキシメチル）−アンモニウムベタイン、Ｎ，Ｎ−ジメチル−Ｎ−アクリルアミドプロピル−Ｎ−（３−スルホプロピル）−アンモニウムベタイン、Ｎ，Ｎ−ジメチル−Ｎ−アクリルアミドプロピル−Ｎ−（２−カルボキシメチル）−アンモニウムベタイン、２−（メチルチオ）エチルメタクリロイル−Ｓ−（スルホプロピル）−スルホニウムベタイン、２−［（２−アクリロイルエチル）ジメチルアンモニオ］エチル２−メチルホスフェート、２−（アクリロイルオキシエチル）−２’−（トリメチルアンモニウム）エチルホスフェート、［（２−アクリロイルエチル）ジメチルアンモニオ］メチルホスホン酸、２−メタクリロイルオキシエチルホスホリルコリン（ＭＰＣ）、２−［（３−アクリルアミドプロピル）ジメチルアンモニオ］エチル２’−イソプロピルホスフェート（ＡＡＰＩ）、１−ビニル−３−（３−スルホプロピル）イミダゾリウムヒドロキシド、（２−アクリルオキシエチル）カルボキシメチルメチルスルホニウムクロリド、１−（３−スルホプロピル）−２−ビニルピリジニウムベタイン、Ｎ−（４−スルホブチル）−Ｎ−メチル−Ｎ，Ｎ−ジアリルアミンアンモニウムベタイン（ＭＤＡＢＳ）、Ｎ，Ｎ−ジアリル−Ｎ−メチル−Ｎ−（２−スルホエチル）アンモニウムベタインなどが含まれる。
【０１１９】
一態様では、水相は、水中で１つ以上の水溶性モノマー、ならびに無機塩または疎水性塩のような重合添加剤、キレート剤、ｐＨ緩衝剤、加工助剤などを一緒に混合することにより調製される。一実施形態では、モノマーは、エチレン性不飽和水溶性または水分散性モノマーおよび／またはコモノマーである。さらなる実施形態では、モノマーは、ラジカル重合によって油溶性および／または水溶性開始剤を使用することにより、疎水性または炭化水素連続油相に乳化され、ポリマーは、非イオン性、アニオン性、カチオン性、および／または双性イオン性であり得る。好ましい実施形態では、モノマーは、アクリルアミドまたはメタクリルアミド、例えば、アクリル酸もしくはその塩、Ｎ−ｔ−ブチルアクリルアミドスルホン酸（ＡＴＢＳ）もしくはその塩、アクリルアミド第３級ブチルスルホン酸もしくはその塩、または２−（アクリロイルオキシ）−Ｎ，Ｎ，Ｎ−トリメチルエタンアンミニウム（ＤＭＡＥＡ．ＭＣＱ）から選択される。さらに好ましい実施形態では、モノマーは、ジアリルジメチルアンモニウムクロリド、ジメチルアミノエチルアクリレートメチルクロリド第４級塩、アクリルアミドプロピルトリメチルアンモニウムクロリド、ジメチルアミノエチルメタクリレートメチルクロリド第４級塩、メタクリルアミドプロピルトリメチルアンモニウムクロリド、アクリル酸、アクリル酸ナトリウム、アクリル酸アンモニウム、メタクリル酸、メタクリル酸ナトリウム、およびメタクリル酸アンモニウムからなる群からさらに選択される。
【０１２０】
好ましい実施形態では、モノマーは、アクリルアミドおよびジアリルジメチルアンモニウムクロリドである。さらに好ましい実施形態では、モノマーは、アクリルアミドおよびジメチルアミノエチルアクリレートメチルクロリド第４級塩である。さらに好ましい実施形態では、モノマーは、アクリルアミド、ジメチルアミノエチルアクリレート、ベンジルクロリド第４級塩、およびジメチルアミノエチルアクリレートメチルクロリド第４級塩である。微粒子として有用なアクリル酸およびアクリルアミドの代表的なコポリマーには、Ｎａｌｃｏ  Ｃｈｅｍｉｃａｌ  Ｃｏｍｐａｎｙ，Ｎａｐｅｒｖｉｌｌｅ，ＩＬ，ＵＳＡから入手可能なＮａｌｃｏ（登録商標）８６７７  ＰＬＵＳが含まれる。アクリル酸およびアクリルアミドの他のコポリマーは、参照により本明細書に組み込まれる、米国特許第５，０９８，５２０号に記載されている。
【０１２１】
水相中のモノマーの重合度は、油中水型エマルジョン重合の反応密度の変化により、熱量測定で反応の熱を測定することにより、定量的赤外分光法により、またはクロマトグラフィーで未反応モノマーのレベルを測定することにより決定される。
【０１２２】
一態様では、水相は、エマルジョンを形成するために（高せん断混合または激しい撹拌下で）油相に添加される。
【０１２３】
疎水性／炭化水素（または油）相は、不活性炭化水素液体と１つ以上の油溶性界面活性剤とを一緒に混合することにより調製される。疎水性液体は、ベンゼン、キシレン、トルエン、鉱油、ケロシン、ナフサ、石油、およびそれらの組み合わせからなる群から選択される。好ましい態様では、疎水性液体は、イソパラフィン系炭化水素である。界面活性剤混合物は、油連続エマルジョンの形成を確実にするために、低ＨＬＢを有するべきである。市販される油中水型エマルジョン重合のための適切な界面活性剤は、その全体が参照により組み込まれる、Ｎｏｒｔｈ  Ａｍｅｒｉｃａｎ  Ｅｄｉｔｉｏｎ  ｏｆ  ＭｃＣｕｔｃｈｅｏｎ’ｓ  Ｅｍｕｌｓｉｆｉｅｒｓ  ＆  Ｄｅｔｅｒｇｅｎｔｓにまとめられている。
【０１２４】
一態様では、逆エマルジョンポリマーは、自由流動性液体である。最も単純な方法論において、逆エマルジョンポリマーの水溶液は、その全体が参照により本明細書に組み込まれる、米国特許第３，７３４，８７３号に記載されているように、高ＨＬＢ界面活性剤の存在下で激しく混合しながら所望の量のエマルジョンポリマーを水に添加することにより生成することができる。
【０１２５】
有効量の逆エマルジョンポリマーは、従来の粘度調整ポリマーよりも低い濃度を有するすぐに使える低減した吸入リスクの組成物を提供するために、洗浄組成物に提供される。有益には、逆エマルジョンポリマーは、希釈システムについて高度に濃縮され、そのような高度濃縮配合物についても粘弾性を維持する。濃縮配合物中の逆エマルジョンポリマーの好適な濃度は、約０．０００１重量％〜約１重量％、約０．０００５重量％〜約０．５重量％、約０．０１重量％〜約０．２重量％、より好ましくは約５ｐｐｍ〜２００ｐｐｍの活性逆エマルジョンポリマーを含む。本発明により限定されるものではないが、全ての列挙される範囲は、その範囲を定義する数を含み、その定義される範囲内の各整数を含む。
【０１２６】
分散ポリマー
本発明の一実施形態では、ポリマー成分は、分散ポリマーである。分散ポリマーとは、水性塩溶液中のポリマーの微粒子の分散液を意味し、これは、得られるポリマーが不溶性である水性塩溶液中で撹拌しながらモノマーを重合することにより調製される。米国特許第８，９９２，６８８号、同第５，７０８，０７１号、同第４，９２９，６５５号、同第５，００６，５９０号、同第５，５９７，８５９号、同第５，５９７，８５８号、ならびに欧州特許第６５７，４７８号および同第６３０，９０９号を参照されたい。溶液およびゲルポリマーを調製するための典型的な手順では、１つ以上の水溶性モノマーおよび、キレート剤、ｐＨ緩衝剤などのような任意の追加の重合添加剤を含有する水溶液が調製される。この混合物を、ミキサー、熱電対、窒素パージ管、および水凝縮器を備えた反応器に入れる。溶液を激しく混合し、所望の温度に加熱した後、１つ以上の重合開始剤を添加する。温度を維持し、数時間混合しながら、溶液を窒素でパージする。典型的には、この期間中に溶液の粘度が増加する。重合が完了した後、反応器の内容物を室温まで冷却し、次いで貯蔵に移す。溶液およびゲルポリマー粘度は、大きく異なり、活性ポリマー成分の濃度および分子量に依存する。
【０１２７】
本発明の一態様では、分散ポリマーは、カチオン性、アニオン性、または非イオン性の高分子量分散ポリマーである。
【０１２８】
濃縮配合物中の分散ポリマーの好適な濃度は、約０．０００１重量％〜約１重量％、約０．０００５重量％〜約０．５重量％、約０．０１重量％〜約０．２重量％、より好ましくは約５ｐｐｍ〜２００ｐｐｍの活性分散ポリマーを含む。本発明により限定されるものではないが、全ての列挙される範囲は、その範囲を定義する数を含み、その定義される範囲内の各整数を含む。
【０１２９】
粉末ポリマー
本発明の一実施形態では、ポリマー成分は、乾燥または粉末ポリマーとして配合される。一例では、ポリマー成分は、ポリエチレンオキシド（ＰＥＯ）、ポリアクリルアミド、およびポリアクリレートの混合物を含む。さらなる例では、ポリマー成分は、ＰＥＯおよびポリアクリルアミドの混合物を含む。ＰＥＯは、高分子量ポリマーである。好適なＰＥＯは、約３，０００，０００〜約７，０００，０００の分子量を有することができる。１つの市販のＰＥＯは、約４，０００，０００の分子量を有するＰｏｌｙｏｘ  ＷＳＲ  ３０１であり、Ｄｏｗから入手可能である。ＰＥＯの好適な濃度範囲は、濃縮洗浄溶液の約０．０１重量％〜０．３重量％である。ＰＥＯの特に好適な濃度範囲は、濃縮洗浄溶液の約０．０１重量％〜０．２重量％である。
【０１３０】
ポリマー成分は、代替的または追加的にポリアクリルアミドを含んでもよい。好適なポリアクリルアミドは、約８００万〜１６００万、より好適には約１１００万〜１３００万の分子量を有することができる。１つの市販のポリアクリルアミドは、Ｋｅｍｉｒａ  Ｗａｔｅｒ  Ｓｏｌｕｔｉｏｎｓ，Ｉｎｃ．から入手可能なＳｕｐｅｒＦｌｏｃ（登録商標）Ｎ−３００である。ポリアクリルアミドの好適な濃度範囲は、濃縮洗浄溶液の約０．０１重量％〜０．３重量％である。ポリアクリルアミドに特に適した濃度範囲は、濃縮洗浄溶液の約０．０１重量％〜０．２重量％である。
【０１３１】
ポリアクリレートは、高分子量ポリマーである。好適なポリアクリレートポリマーは、約５００，０００〜約３００万の分子量を有することができる。より好適なポリアクリレートポリマーは、少なくとも約１００万の分子量を有することができる。１つの市販のポリアクリレートは、Ａｋｚｏ  Ｎｏｂｅｌから入手可能なＡｑｕａｔｒｅａｔ（登録商標）ＡＲ−７Ｈである。濃縮組成物中の好適なポリアクリレート濃度は、約０．５重量％〜約２０重量％である。濃縮組成物中の特に好適なポリアクリレート濃度は、約１重量％〜約１０重量％である。
【０１３２】
本発明のさらなる実施形態において、他の既知の好適なポリマーは、乾燥ポリマー、または本発明による洗浄組成物に含めるための粉末として配合され得る。そのような好適なポリマーの例は、その全体が参照により組み込まれる、米国特許第９，１２７，２４１号および同第９，２０６，２８１号に見ることができる。
【０１３３】
キサンタンガム
本発明の一態様では、ポリマー成分は、キサンタンガムである。キサンタンは、Ｘａｎｔｈｏｍｏｎａｓ  ｃａｍｐｅｓｔｒａｓの細胞外多糖である。キサンタンは、コーンシュガーまたは他のコーン甘味料副産物をベースとする発酵によって作製される。キサンタンは、セルロースに見られるものと類似した、ポリベータ−（１→４）−Ｄ−グルコピラノシル骨格鎖を含む。キサンタンガムおよびその誘導体の水性分散物は、新規で顕著なレオロジー特性を示す。低濃度のガムは、比較的高い粘度を有し、経済的な使用および用途を可能にする。キサンタンガム溶液は、高い擬塑性を示し、すなわち、広範囲の濃度にわたって、瞬時に可逆的であると一般に理解される急速なせん断減粘が起こる。非せん断材料は、広範囲にわたってｐＨに依存せず、温度に依存しないとみなされる粘度を有する。好ましいキサンタン材料には、架橋キサンタン材料が含まれる。キサンタンポリマーは、大きな多糖分子のヒドロキシル官能基と反応性である様々な既知の共有反応架橋剤で架橋することができ、二価、三価、または多価金属イオンを使用して架橋することもできる。そのような架橋キサンタンゲルは、米国特許第４，７８２，９０１号に開示されており、この特許は参照により本明細書に組み込まれる。キサンタン材料に適した架橋剤には、Ａｌ＋３、Ｆｅ＋３、Ｓｂ＋３、Ｚｒ＋４、および他の遷移金属などのような金属カチオンが含まれる。既知の有機架橋剤を使用することもできる。本発明の好ましい架橋キサンタン剤は、Ｍｅｒｃｋ  Ｉｎｃｏｒｐｏｒａｔｅｄの一部門であるＫｅｌｃｏの製品、ＫＥＬＺＡＮ  ＡＲである。ＫＥＬＺＡＮ  ＡＲは、スプレーされるとき大きな粒径のミストまたはエアロゾルを生成することができるチキソトロピー洗浄剤を提供する架橋キサンタンである。
【０１３４】
濃縮溶液中のキサンタンガムの好適な濃度は、約０．０００１重量％〜約１重量％、約０．０００５重量％〜約０．５重量％、約０．０１重量％〜約０．２重量％、より好ましくは約５ｐｐｍ〜２００ｐｐｍのキサンタンガムを含む。本発明により限定されるものではないが、全ての列挙される範囲は、その範囲を定義する数を含み、その定義される範囲内の各整数を含む。
【０１３５】
酸成分
本発明による洗浄組成物は、少なくとも１つの酸成分を任意に含む。他の態様では、洗浄組成物は、少なくとも２つの酸成分を含む。本発明による洗浄組成物は、洗浄成分が第４級アンモニウム化合物である場合、少なくとも１つの酸成分を任意に含む。本発明の特定の理論に限定されることを求めることなく、酸成分を含めることは、洗浄組成物のｐＨを酸性ｐＨに維持し、したがって、第４級アンモニウム化合物が生物学的物質、例えば、肺組織と接触することを可能にし、吸入のリスク、すなわち、毒性のリスクを低減すると考えられる。穏やかな酸性条件下では、生物学的物質は、それらのそれぞれの等電点またはその近くにあり得る。したがって、正に帯電した洗浄化合物または第４級アンモニウム化合物と負または部分的に負に帯電した生物学的物質との間の静電相互作用を低減することは、洗浄化合物または第４級アンモニウム化合物に関連する毒性のリスクおよび吸入リスクを低減する。さらに、洗浄化合物または第４級アンモニウム化合物は、典型的には、それらが最も良好に機能する中性またはアルカリ性ｐＨを保持するため、洗浄化合物または第４級アンモニウム化合物ベースの洗浄組成物中に酸成分を含めることは予想外である。本発明の一態様では、酸成分は、プロトン供与体として作用することができる任意の化合物である。本発明のさらなる態様では、酸成分は、鉱酸、有機酸、カルボン酸、アミノ酸、酸性キレート剤、および／またはプロトン供与体として作用することができる化合物である。
【０１３６】
本発明のさらなる態様では、少なくとも２つの酸成分が、本発明による組成物に使用される。適切な酸成分には、カルボン酸、鉱酸、有機酸、アミノ酸、酸性キレート剤、脂肪酸、脂肪酸界面活性剤、および／またはプロトン供与体として作用することができる化合物が含まれ、成分は、任意の好適な酸成分分類の少なくとも２つの同一成分、任意の好適な酸成分分類の少なくとも２つの成分、または任意の好適な酸分類の少なくとも１つの成分、および任意の異なるが依然として好適な酸分類の少なくとも１つの成分であり得る。
【０１３７】
一態様において、濃縮組成物は、約０．１重量％〜３０重量％の酸成分、好ましくは約０．１重量％〜２５重量％の酸成分、より好ましくは約１．０重量％〜２０重量％の酸成分を含む。それに加えて、本発明により限定されるものではないが、全ての列挙される範囲は、その範囲を定義する数を含み、その定義される範囲内の各整数を含む。
【０１３８】
カルボン酸
本発明の一態様では、酸成分は、カルボン酸である。一般に、カルボン酸は、式Ｒ−ＣＯＯＨを有し、式中、Ｒは、全て飽和または不飽和、および置換または非置換であり得る、脂肪族基、脂環式基、芳香族基、複素環式基を含む任意の数の異なる基を表し得る。１、２、３以上のカルボキシル基を有するカルボン酸も発生する。カルボン酸は、カルボキシル基の水素原子が活性であり、アニオンとして出現し得るため、それらが存在する水性組成物を酸性化する傾向を有する。本組成物内のカルボン酸構成要素は、水性過酸化水素と組み合わされる場合、一般に、活性水素原子の存在の結果として抗微生物剤として機能する。また、本発明内のカルボン酸構成要素は、組成物を酸性ｐＨに維持する。そのようなカルボン酸の例には、酢酸、クエン酸、コハク酸、アジピン酸、ヒドロキシ酢酸、および乳酸が含まれるが、これらに限定されない。当業者は、他のカルボン酸が本発明の目的に使用され得ることを理解するであろう。
【０１３９】
鉱酸
本発明の一態様では、酸成分は、鉱酸、すなわち、無機酸である。そのような鉱酸の例には、リン酸、スルファミン酸、硫酸、硝酸、および塩酸が含まれるが、これらに限定されない。一般に、全ての鉱酸は、水に溶解されるとき水素イオンおよび共役塩基イオンを形成する。例えば、硫酸は、完全なイオン化によって水溶液中の硫酸水素を形成し、ヒドロニウムイオンおよび硫酸水素を形成する。そのような共役塩基も、本発明の目的に有用な酸成分である。
【０１４０】
有機酸
本発明の一態様では、酸成分は、有機酸である。好適な有機酸は、メタンスルホン酸、エタンスルホン酸、プロパンスルホン酸、ブタンスルホン酸、キシレンスルホン酸、クメンスルホン酸、ベンゼンスルホン酸、ギ酸、酢酸、モノ、ジ、またはトリハロカルボン酸、ピコリン酸、ジピコリン酸、およびそれらの混合物を含むが、これらに限定されない。
【０１４１】
アミノ酸
本発明の一態様では、酸成分は、アミノ酸および／またはアミノ酸誘導体である。一般的に、アミノ酸は、通常各アミノ酸への側鎖基と共に、アミン官能基およびカルボン酸官能基を含有する。好適なアミノ酸および／またはアミノ酸誘導体には、アラニン、アルギニン、アスパラギン、アスパラギン酸、システイン、グルタミン酸、グルタミン、グリシン、ヒスチジン、イソロイシン、ロイシン、リジン、メチオニン、フェニルアラニン、プロリン、セリン、スレオニン、トリプトファン、チロシン、バリン、セレノシステイン、ピロリジン、およびそれらの誘導体が含まれるが、これらに限定されない。
【０１４２】
酸性キレート剤
本発明の一態様では、酸成分は、酸性キレート剤である。本明細書において、キレート化とは、二座または多座リガンドの結合または複合体形成を意味する。これらのリガンドは、多くの場合、有機化合物であり、キレート剤（ｃｈｅｌａｎｔ）、キレーター、キレート剤（ｃｈｅｌａｔｉｎｇ  ａｇｅｎｔ）、および／または金属イオン封鎖剤と呼ばれる。キレート剤は、単一の金属イオンと複数の結合を形成する。キレート剤は、特定の金属イオンと可溶性複合体分子を形成する化学物質であり、それらが他の元素またはイオンと正常に反応して沈殿物またはスケールを生成することができないように、それらのイオンを不活性化する。リガンドは、基材とキレート複合体を形成する。用語は、金属イオンがキレート剤の２つ以上の原子に結合している複合体のものである。本発明で使用されるキレート剤は、プロトン供与体として作用する能力を有するものである。
【０１４３】
好適なキレート剤は、アミノカルボキシレート、アミノホスホネート、多官能置換芳香族キレート剤、およびそれらの混合物からなる群から選択することができる。本明細書における使用に好ましいキレート剤は、アミノ酸系キレート剤、好ましくはクエン酸塩、クエン酸塩、酒石酸塩、およびグルタミン酸−Ｎ，Ｎジ酢酸、ならびに誘導体、ならびに／またはホスホネート系キレート剤、好ましくはジエチレントリアミンペンタメチルホスホン酸などのキレート剤である。
【０１４４】
アミノカルボキシレートとしては、エチレンジアミンテトラ−アセテート、Ｎ−ヒドロキシルエチルエチレンジアミントリアセテート、ニトリロ−トリアセテート、エチレンジアミンテトラプロ−プリオネート、トリエチレンテトラアミンヘキサアセテート、ジエチレントリアミンペンタアセテート、およびエタノールジ−グリシン、アルカリ金属、アンモニウム、ならびにそれらの中の置換アンモニウム塩、ならびにそれらの中の混合物が挙げられる。ならびに、ＭＧＤＡ（メチル−グリシン−ジ酢酸）、ならびにそれらの塩および誘導体、ならびにＧＬＤＡ（グルタミン酸−Ｎ，Ｎ−ジ酢酸）、ならびにそれらの塩および誘導体。ＧＬＤＡ（それらの塩および誘導体）が、本発明によると特に好ましく、それらの四ナトリウム塩が特に好ましい。
【０１４５】
他の好適なキレート剤には、アミノ酸系化合物またはコハク酸塩系化合物が含まれる。「コハク酸塩系化合物」および「コハク酸系化合物」という用語は、本明細書において互換的に使用される。他の好適なキレート剤は、米国特許第６，４２６，２２９号に記載されている。特定の好適なキレート剤には、例えば、アスパラギン酸−Ｎ−モノ酢酸（ＡＳＭＡ）、アスパラギン酸−Ｎ，Ｎ−ジ酢酸（ＡＳＤＡ）、アスパラギン酸−Ｎ−モノプロピオン酸（ＡＳＭＰ）、イミノジコハク酸（ＩＤＳ）、イミノジ酢酸（ＩＤＡ）、Ｎ−（２−スルホメチル）アスパラギン酸（ＳＭＡＳ）、Ｎ−（２−スルホエチル）アスパラギン酸（ＳＥＡＳ）、Ｎ−（２−スルホメチル）グルタミン酸（ＳＭＧＬ）、Ｎ−（２−スルホエチル）グルタミン酸（ＳＥＧＬ）、Ｎ−メチルイミノジ酢酸（ＭＩＤＡ）、アラニン−Ｎ，Ｎ−ジ酢酸（ＡＬＤＡ）、セリン−Ｎ，Ｎ−ジ酢酸（ＳＥＤＡ）、イソセリン−Ｎ，Ｎ−ジ酢酸（ＩＳＤＡ）、フェニルアラニン−Ｎ，Ｎ−ジ酢酸（ＰＨＤＡ）、アントラニル酸−Ｎ，Ｎ−ジ酢酸（ＡＮＤＡ）、スルファニル酸−Ｎ，Ｎ−ジ酢酸（ＳＬＤＡ）、タウリン−Ｎ，Ｎ−ジ酢酸（ＴＵＤＡ）、およびスルホメチル−Ｎ，Ｎ−ジ酢酸（ＳＭＤＡ）、ならびにそれらのアルカリ金属塩またはアンモニウム塩が含まれる。米国特許第４，７０４，２３３号に記載されているような、エチレンジアミンジコハク酸塩（「ＥＤＤＳ」）、特に［Ｓ，Ｓ］異性体が好適である。さらに、ヒドロキシエチレンイミノジ酢酸、ヒドロキシイミノジコハク酸、ヒドロキシエチレンジアミントリ酢酸も好適である。アラニンが特に好ましい。Ｎ，Ｎ−ビス（カルボキシメチル）−、三ナトリウム塩。
【０１４６】
他のキレート剤としては、ポリカルボン酸およびそれらの部分的または完全に中和された塩のホモポリマーおよびコポリマー、ならびにモノマーポリカルボン酸およびヒドロキシカルボン酸ならびにそれらの塩が挙げられる。上述の化合物の好ましい塩は、アンモニウムおよび／またはアルカリ金属塩、すなわち、リチウム塩、ナトリウム塩、およびカリウム塩であり、特に好ましい塩は、ナトリウム塩である。
【０１４７】
好適なポリカルボン酸は、非環式、脂環式、多環式、および芳香族カルボン酸であり、この場合、それらは、それぞれ好ましくは２つ以下の炭素原子によって互いから分離している少なくとも２つのカルボキシル基を含有する。２つのカルボキシル基を含むポリカルボキシレートとしては、例えば、マロン酸、（エチルエネジオキシ（ｅｔｈｙｌ  ｅｎｅｄｉｏｘｙ））ジ酢酸、マレイン酸、ジグリコール酸、酒石酸、タルトロン酸、およびフマル酸の水溶性塩が挙げられる。３つのカルボキシル基を含有するポリカルボキシレートには、例えば、水溶性クエン酸塩が含まれる。相応に、好適なヒドロキシカルボン酸は、例えば、クエン酸である。別の好適なポリカルボン酸は、アクリル酸のホモポリマーである。スルホネートでエンドキャップされたポリカルボキシレートが好ましい。
【０１４８】
アミノホスホネートもまた、キレート剤としての使用に適しており、エチレンジアミンテトラキス（メチレンホスホネート）をＤＥＱＵＥＳＴとして含む。約６個超の炭素原子を有するアルキルまたはアルケニル基を含有しないこれらのアミノホスホネートが好ましい。
【０１４９】
多官能置換芳香族キレート剤もまた、米国特許第３，８１２，０４４号に記載されているような本明細書の組成物において有用である。酸形態であるこの種類の好ましい化合物は、１，２−ジヒドロキシ−３，５−ジスルホベンゼンなどのジヒドロキシジスルホベンゼンである。
【０１５０】
本明細書における使用のためのさらなる好適なポリカルボキシレートキレート剤には、全て好ましくは水溶性塩の形態である、クエン酸、乳酸、酢酸、コハク酸、ギ酸が含まれる。他の好適なポリカルボキシレートは、米国特許第４，６６３，０７１号に記載されているような、オキソジスクシネート、カルボキシメチルオキシスクシネート、ならびに酒石酸モノコハク酸および酒石酸ジコハク酸の混合物である。
【０１５１】
脂肪酸および脂肪酸界面活性剤
本発明の一態様では、酸成分は、脂肪酸および／または脂肪酸界面活性剤である。本明細書で使用されるとき、「脂肪酸」という用語は、アルキル鎖を含むカルボン酸の群のいずれかを含む。いくつかの実施形態では、アルキル基は、直鎖または分岐、および飽和または不飽和であり得る。アルキル基の鎖は、任意の長さの炭素原子を含有する。いくつかの実施形態では、アルキル基の鎖は、４〜１２個の炭素原子、５〜１１個の炭素原子、または８〜１０個の炭素原子を含有する。例示的な脂肪酸は、ヘキサン酸、ヘプタン酸、オクタン酸、ノナン酸、デカン酸、ラウリン酸、パルミチン酸、ステアリン酸、オレイン酸、カプロン酸、カプリル酸、カプリン酸、およびそれらの混合物から選択することができる。例示的なより長いアルキル鎖脂肪酸は、例えば、ミリスチン酸、アラキジン酸、ベヘン酸、リグノセリン酸、セロチン酸、ミリストレイン酸、パルミトレイン酸、サピエン酸、エライジン酸、バクセン酸、リノール酸、リノレイン酸、ａ−リノレン酸、アラキドン酸、エイコサペンタエン酸、エルカ酸、デコサヘキサエン酸、ガドレイン酸、エルカ酸、マルガリン酸、ベヘン酸、リシノール酸、リグノセリン酸、リカニン酸、エレオステアリン酸、およびそれらの混合物から選択することができる。
【０１５２】
本発明のさらなる態様では、酸成分は、脂肪酸界面活性剤である。脂肪酸である様々な例示的な界面活性剤は、次のセクションに開示されている。
【０１５３】
追加の界面活性剤
いくつかの実施形態において、本発明の組成物は、任意に界面活性剤を含む。本発明の組成物との使用に適した界面活性剤は、これらに限定されないが、非イオン性界面活性剤、アニオン性界面活性剤、および両性界面活性剤を含む。いくつかの実施形態において、本発明の濃縮組成物は、約０重量％〜約３０重量％の界面活性剤を含む。他の実施形態において、本発明の濃縮組成物は、約０．１重量％〜約３０％の界面活性剤を含む。またさらに他の実施形態において、本発明の濃縮組成物は、約０．５重量％〜約１０重量％の界面活性剤を含む。
【０１５４】
非イオン性界面活性剤
有用な追加の非イオン性界面活性剤は、一般的には、有機疎水性基および有機親水性基の存在を特徴とし、典型的には、有機脂肪族、アルキル芳香族、またはポリオキシアルキレン疎水性化合物と、一般的にはエチレンオキシド、またはその多水和生成物（ｐｏｌｙｈｙｄｒａｔｉｏｎ  ｐｒｏｄｕｃｔ）、ポリエチレングリコールである親水性アルカリ性オキシド部分との縮合によって生成される。具体的には、反応性水素原子を有するヒドロキシル、カルボキシル、アミノ、またはアミド基を有する任意の疎水性化合物を、エチレンオキシド、もしくはその多水和添加剤、またはプロピレンオキシドなどのアルコキシレンとのその混合物と縮合させて、非イオン表面活性剤を形成することができる。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。有用な非イオン性界面活性剤には、
【０１５５】
開始剤反応性水素化合物としての、プロピレングリコール、エチレングリコール、グリセロール、トリメチロールプロパン、およびエチレンジアミンをベースとするブロックポリオキシプロピレン−ポリオキシエチレンポリマー化合物が含まれる。開始剤の連続的なプロポキシル化およびエトキシル化から作製されるポリマー化合物の例は、ＢＡＳＦ  Ｃｏｒｐ．から市販されている。１つのクラスの化合物は、エチレンオキシドと、プロピレングリコールの２つのヒドロキシル基へのプロピレンオキシドの付加によって形成される疎水性塩基とを縮合することによって形成される二官能性（２つの反応性水素）化合物である。分子のこの疎水性部分は、約１，０００から約４，０００の分子量を有する。次いで、エチレンオキシドは、この疎水性物質を親水基の間に挟み込むように付加され、最終的な分子の約１０重量％から約８０重量％を構成するように長さにより制御される。別のクラスの化合物は、プロピレンオキシドおよびエチレンオキシドのエチレンジアミンへの逐次付加から得られる四官能性ブロックコポリマーである。プロピレンオキシドヒドロトロープの分子量は、約５００から約７，０００の範囲であり；親水性のエチレンオキシドは、分子の約１０重量％から約８０重量％を構成するように付加される。
【０１５６】
直鎖もしくは分岐鎖構成の、または単一もしくは二重アルキル構成要素のアルキル鎖が約８〜約１８個の炭素原子を含有する１モルのアルキルフェノールと、約３〜約５０モルのエチレンオキシドとの縮合生成物。アルキル基は、例えば、ジイソブチレン、ジ−アミル、重合プロピレン、イソ−オクチル、ノニル、およびジ−ノニルにより代表され得る。これらの界面活性剤は、アルキルフェノールのポリエチレン、ポリプロピレン、およびポリブチレンオキシド縮合物であってもよい。この化学構造の商業的化合物の例は、Ｒｈｏｎｅ−Ｐｏｕｌｅｎｃ製のＩｇｅｐａｌ（登録商標）、およびＵｎｉｏｎ  Ｃａｒｂｉｄｅ製のＴｒｉｔｏｎ（登録商標）の商品名で市販されている。
【０１５７】
約６〜約２４個の炭素原子を有する１モルの飽和または不飽和直鎖または分岐鎖アルコールと、約３〜約５０モルのエチレンオキシドとの縮合生成物。アルコール部分は、上述された炭素範囲内のアルコールの混合物からなり得るか、またはこの範囲内の特定の数の炭素原子を有するアルコールからなり得る。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、およびＶｉｓｔａ  Ｃｈｅｍｉｃａｌ  Ｃｏ．製のＡｌｆｏｎｉｃ（商標）の商品名で入手可能である。
【０１５８】
約８〜約１８個の炭素原子を有する１モルの飽和または不飽和直鎖または分岐鎖カルボン酸と、約６〜約５０モルのエチレンオキシドとの縮合生成物。酸部分は、上記に定義された炭素原子範囲内の酸の混合物からなり得るか、またはこの範囲内の特定の数の炭素原子を有する酸からなり得る。この化学構造の商業的化合物の例は、ＢＡＳＦ製のＤｉｓｐｏｎｉｌまたはＡｇｎｉｑｕｅ、およびＬｉｐｏ  Ｃｈｅｍｉｃａｌｓ，Ｉｎｃ．製のＬｉｐｏｐｅｇ（商標）の商品名で市販されている。
【０１５９】
一般にポリエチレングリコールエステルと呼ばれるエトキシル化カルボン酸に加えて、グリセリド、グリセリン、および多価（サッカリドまたはソルビタン／ソルビトール）アルコールとの反応により形成される他のアルカン酸エステルは、特殊化された実施形態、特に間接的食品添加剤用途について本明細書における用途を有する。これらのエステル部分は全て、その分子上に、これらの物質の親水性を制御するためにさらなるアシル化またはエチレンオキシド（アルコキシド）付加に供され得る１つ以上の反応性水素部位を有する。これらの脂肪エステルもしくはアシル化炭水化物を、アミラーゼおよび／もしくはリパーゼ酵素を含有する本発明の組成物に追加する場合、不適合性の可能性があるため、注意しなければならない。
【０１６０】
非イオン性低発泡性界面活性剤の例は以下を含む。
エチレンオキシドをエチレングリコールに付加して指定の分子量の親水性物質を提供し；次いでプロピレンオキシドを付加して分子の外側（端部）に疎水性ブロックを得ることにより改質され、本質的に反転された（１）からの化合物。分子の疎水性部分は、約１，０００から約３，１００の分子量を有し、中心の親水性物質は、最終的な分子の１０重量％から約８０重量％を含む。これらの反転Ｐｌｕｒｏｎｉｃ（商標）は、ＢＡＳＦ  Ｃｏｒｐｏｒａｔｉｏｎによって、Ｐｌｕｒｏｎｉｃ（商標）Ｒ界面活性剤の商品名で製造される。同様に、Ｔｅｔｒｏｎｉｃ（商標）Ｒ界面活性剤は、ＢＡＳＦ  Ｃｏｒｐｏｒａｔｉｏｎにより、エチレンオキシドおよびプロピレンオキシドのエチレンジアミンへの逐次付加によって製造される。分子の疎水性部分は、約２，１００から約６，７００の分子量を有し、中心の親水性物質は、最終的な分子の１０重量％から約８０重量％を含む。
【０１６１】
プロピレンオキシド、ブチレンオキシド、塩化ベンジルなどの疎水性小分子；および１〜約５個の炭素原子を含有する短鎖脂肪酸、アルコールまたはアルキルハロゲン化物；ならびにそれらの混合物との反応により発泡を低減するために、（多官能性部分の）末端ヒドロキシ基（複数可）を「キャッピング」または「端部ブロッキング」することにより改質された、（１）、（２）、（３）および（４）群からの化合物。また、末端ヒドロキシ基を塩化物基に変換する塩化チオニルなどの反応物質も含まれる。末端ヒドロキシ基へのそのような修飾は、オールブロック、ブロック−ヘテリック、ヘテリック−ブロック、またはオールヘテリック非イオン性物質をもたらし得る。
【０１６２】
有効な低発泡性非イオン性物質の追加の例は以下を含む。
１９５９年９月８日にＢｒｏｗｎらに発行された米国特許第２，９０３，４８６号の、
【化４】
2022000512.tif 000007
Ｒが、８〜９個の炭素原子のアルキル基であり、Ａが、３〜４個の炭素原子のアルキレン鎖であり、ｎが、７〜１６の整数であり、ｍが、１〜１０の整数である、式によって表されるアルキルフェノキシポリエトキシアルカノール。
【０１６３】
末端疎水性鎖の重量、中間疎水性単位の重量、および連結親水性単位の重量がそれぞれ縮合物の約３分の１を表す、交互親水性オキシエチレン鎖および疎水性オキシプロピレン鎖を有する、１９６２年８月７日にＭａｒｔｉｎらに発行された米国特許第３，０４８，５４８号のポリアルキレングリコール縮合物。
【０１６４】
Ｚが、アルコキシル化可能な材料であり、Ｒが、エチレンおよびプロピレンであり得るアルキレンオキシドから誘導されるラジカルであり、ｎが、例えば、１０〜２，０００以上の整数であり、ｚが、反応性オキシアルキル化可能な基の数によって決定される整数である、一般式Ｚ［（ＯＲ）ｎＯＨ］ｚを有する、１９６８年５月７日にＬｉｓｓａｎｔらに発行された米国特許第３，３８２，１７８号に開示される消泡性非イオン性界面活性剤。
【０１６５】
Ｙが、約１〜６個の炭素原子および１個の反応性水素原子を有する有機化合物の残基であり、ｎが、ヒドロキシル価により決定される少なくとも約６．４の平均値を有し、ｍが、オキシエチレン部分が分子の約１０重量％〜約９０重量％を構成するような値を有する、式Ｙ（Ｃ３Ｈ６Ｏ）ｎ（Ｃ２Ｈ４Ｏ）ｍＨに対応する、１９５４年５月４日にＪａｃｋｓｏｎらに発行された米国特許第２，６７７，７００号に記載の共役ポリオキシアルキレン化合物。
【０１６６】
Ｙが、約２〜６個の炭素原子を有し、ｘ個の反応性水素原子を含有する有機化合物の残基であり、ｘが、少なくとも約２の値を有し、ｎが、ポリオキシプロピレン疎水性塩基の分子量が少なくとも約９００であるような値を有し、ｍが、分子のオキシエチレン含有量が約１０重量％〜約９０重量％であるような値を有する、式Ｙ［（Ｃ３Ｈ６Ｏｎ（Ｃ２Ｈ４Ｏ）ｍＨ］ｘを有する、１９５４年４月６日にＬｕｎｄｓｔｅｄらに発行された米国特許第２，６７４，６１９号に記載される共役ポリオキシアルキレン化合物。Ｙについての定義の範囲内に該当する化合物は、例えば、プロピレングリコール、グリセリン、ペンタエリスリトール、トリメチロールプロパン、エチレンジアミンなどを含む。オキシプロピレン鎖は、任意選択的であるが、有益なことに、少量のエチレンオキシドを含有し、オキシエチレン鎖もまた、任意選択的であるが、有益なことに、少量のプロピレンオキシドを含有する。
【０１６７】
本発明の組成物において有利に使用される追加の共役ポリオキシアルキレン表面活性剤は、式：Ｐ［（Ｃ３Ｈ６Ｏ）ｎ（Ｃ２Ｈ４Ｏ）ｍＨ］ｘに対応し、式中、Ｐは、約８〜１８個の炭素原子を有し、ｘ個の反応性水素原子を含有する有機化合物の残基であり、ｘは、１または２の値を有し、ｎは、ポリオキシエチレン部分の分子量が少なくとも約４４であるような値を有し、ｍは、分子のオキシプロピレン含有量が約１０重量％〜約９０重量％であるような値を有する。いずれの場合においても、オキシプロピレン鎖は、任意選択的ではあるが、有益なことに、少量のエチレンオキシドを含有してもよく、オキシエチレン鎖もまた、任意選択的ではあるが、有益なことに、少量のプロピレンオキシドを含有してもよい。
【０１６８】
本組成物における使用に好適なポリヒドロキシ脂肪酸アミド界面活性剤は、構造式Ｒ２ＣＯＮＲ１Ｚ（式中、Ｒ１は、Ｈ、Ｃ１〜Ｃ４ヒドロカルビル、２−ヒドロキシエチル、２−ヒドロキシプロピル、エトキシ、プロポキシ基、またはそれらの混合であり；Ｒ２は、直鎖であってもよいＣ５〜Ｃ３１ヒドロカルビルであり；Ｚは、鎖に直接接続された少なくとも３つのヒドロキシルを有するヒドロカルビル直鎖を有するポリヒドロキシヒドロカルビル、またはそのアルコキシル化誘導体（好ましくはエトキシル化もしくはプロポキシル化）である）を有するものを含む。Ｚは、グリシチル部分など、還元アミン化反応において還元糖から得られ得る。
【０１６９】
脂肪族アルコールの約０から約２５モルのエチレンオキシドとのアルキルエトキシレート縮合生成物は、本組成物における使用に好適である。脂肪族アルコールのアルキル鎖は、直鎖もしくは分岐鎖、第１級もしくは第２級であり得、また一般に６〜２２個の炭素原子を含有する。
【０１７０】
エトキシル化Ｃ６〜Ｃ１８脂肪アルコールならびにＣ６〜Ｃ１８混合エトキシル化およびプロポキシル化脂肪アルコールは、特に水溶性のものは、本組成物における使用に好適な界面活性剤である。好適なエトキシル化脂肪アルコールは、３〜５０のエトキシル化度を有するＣ６〜Ｃ１８エトキシル化脂肪アルコールを含む。
【０１７１】
特に本組成物における使用に適した非イオン性アルキルポリサッカリド界面活性剤は、１９８６年１月２１日に発行された米国特許第４，５６５，６４７号、Ｌｌｅｎａｄｏに開示されるものを含む。これらの界面活性剤は、約６〜約３０個の炭素原子を含有する疎水性基およびポリサッカリド、例えば、ポリグリコシド、約１．３〜約１０サッカリド単位を含有する親水性基を含む。５または６個の炭素原子を含有する任意の還元サッカリドを使用することができ、例えば、グルコース、ガラクトース、およびガラクトシル部分をグルコシル部分に置換することができる。（任意に、疎水性基は、２位、３位、４位などで結合し、したがってグルコシドまたはガラクトシドとは対照的にグルコースまたはガラクトースをもたらす。）サッカリド間結合は、例えば、追加のサッカリド単位の１つの位置と、先行するサッカリド単位上の２位、３位、４位、および／または６位との間にあり得る。
【０１７２】
本組成物における使用に好適な脂肪酸アミド界面活性剤は、式：Ｒ６ＣＯＮ（Ｒ７）２を有するものを含み、式中、Ｒ６が７〜２１個の炭素原子を含有するアルキル基であり、各Ｒ７が、独立して水素、Ｃ１〜Ｃ４アルキル、Ｃ１〜Ｃ４ヒドロキシアルキル、または−−（Ｃ２Ｈ４Ｏ）ＸＨであり、ｘが１〜３の範囲内である。
【０１７３】
非イオン性界面活性剤の有用なクラスは、アルコキシル化アミン、または、最も具体的には、アルコールアルコキシル化／アミノ化／アルコキシル化界面活性剤として定義されるクラスを含む。これらの非イオン性界面活性剤は、少なくとも部分的に、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、およびＲ２０−−Ｎ（ＥＯ）ｔＨにより表され得、式中、Ｒ２０がアルキル、アルケニルもしくは他の脂肪族基、または８から２０個、好ましくは１２から１４個の炭素原子のアルキル−アリール基であり、ＥＯがオキシエチレンであり、ＰＯがオキシプロピレンであり、ｓが１から２０、好ましくは２〜５であり、ｔは、１〜１０、好ましくは２〜５であり、ｕは、１〜１０、好ましくは２〜５である。これらの化合物の範囲の他の変形は、代替の式：Ｒ２０−−（ＰＯ）Ｖ−−Ｎ［（ＥＯ）ｗＨ］［（ＥＯ）ｚＨ］により表され得、式中、Ｒ２０は上で定義された通りであり、ｖは１〜２０（例えば、１、２、３、または４（好ましくは２））であり、ｗおよびｚは独立して１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品は、Ｓｕｒｆｏｎｉｃ（商標）ＰＥＡ２５アミンアルコキシレートを含む。本発明の組成物に好ましい非イオン性界面活性剤は、アルコールアルコキシレート、ＥＯ／ＰＯブロックコポリマー、アルキルフェノールアルコキシレートなどを含む。
【０１７４】
論文Ｎｏｎｉｏｎｉｃ  Ｓｕｒｆａｃｔａｎｔｓ，ｅｄｉｔｅｄ  ｂｙ  Ｓｃｈｉｃｋ，Ｍ．Ｊ．，Ｖｏｌ．１  ｏｆ  ｔｈｅ  Ｓｕｒｆａｃｔａｎｔ  Ｓｃｉｅｎｃｅ  Ｓｅｒｉｅｓ，Ｍａｒｃｅｌ  Ｄｅｋｋｅｒ，Ｉｎｃ．，Ｎｅｗ  Ｙｏｒｋ，１９８３は、本発明の実施において一般的に使用される広範な非イオン性化合物に関する優れた参考文献である。非イオン性クラス、およびこれらの界面活性剤の種の典型的なリストは、１９７５年１２月３０日にＬａｕｇｈｌｉｎおよびＨｅｕｒｉｎｇに発行された米国特許第３，９２９，６７８号に記載されている。さらなる例は、“Ｓｕｒｆａｃｅ  Ａｃｔｉｖｅ  Ａｇｅｎｔｓ  ａｎｄ  ｄｅｔｅｒｇｅｎｔｓ”  （Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に記載されている。
【０１７５】
半極性非イオン性界面活性剤
半極性型の非イオン性表面活性剤は、本発明の組成物において有用な別のクラスの追加の非イオン性界面活性剤である。一般に、半極性非イオン性物質は、高発泡物質および泡安定剤であり、これはＣＩＰシステムにおけるそれらの適用を制限し得る。しかしながら、高発泡洗浄方法用に設計された本発明の組成上の実施形態では、半極性非イオン性物質は、即時的な実用性を有する。半極性非イオン性界面活性剤は、アミンオキシド、ホスフィンオキシド、スルホキシドおよびそれらのアルコキシル化誘導体を含む。
【０１７６】
アミンオキシドは、一般式に対応する第３級アミンオキシドであり、
【化５】
2022000512.tif 000008
式中、矢印は、半極性結合の従来の表示であり、Ｒ１、Ｒ２、およびＲ３は、脂肪族、芳香族、複素環式、脂環式、またはそれらの組み合わせであり得る。一般に、洗剤関連のアミンオキシドでは、Ｒ１が、約８〜約２４個の炭素原子のアルキルラジカルであり、Ｒ２およびＲ３が、１〜３個の炭素原子のアルキルもしくはヒドロキシアルキル、またはそれらの混合物であり、Ｒ２およびＲ３が、例えば酸素または窒素原子を介して互いに結合し、環構造を形成することができ、Ｒ４が、アルカリ、または２〜３個の炭素原子を含有するヒドロキシアルキレン基であり、ｎが、０〜約２０の範囲である。
【０１７７】
有用な水溶性アミンオキシド界面活性剤は、ヤシまたはタロウアルキルジ−（低級アルキル）アミンオキシドから選択され、それらの具体例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアインオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドである。
【０１７８】
有用な半極性非イオン性界面活性剤はまた、以下の構造を有する水溶性ホスフィンオキシドを含み、
【化６】
2022000512.tif 000009
式中、矢印は、半極性結合の従来の表示であり、Ｒ１は、１０〜約２４個の炭素原子の鎖長範囲のアルキル、アルケニル、またはヒドロキシアルキル部分であり、Ｒ２およびＲ３は、それぞれ、１〜３個の炭素原子を含有するアルキルまたはヒドロキシアルキル基から別々に選択されるアルキル部分である。
【０１７９】
有用なホスフィンオキシドの例としては、ジメチルデシルホスフィンオキシド、ジメチルテトラデシルホスフィンオキシド、メチルエチルテトラデシルホスホンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、およびビス（ヒドロキシメチル）テトラデシルホスフィンオキシドが挙げられる。
【０１８０】
本明細書において有用な半極性非イオン性界面活性剤はまた、構造を有する水溶性スルホキシド化合物を含み、
【化７】
2022000512.tif 000010
式中、矢印は、半極性結合の従来の表示であり、Ｒ１は、約８〜約２８個の炭素原子、０〜約５個のエーテル結合、および０〜約２個のヒドロキシル置換基のアルキルまたはヒドロキシアルキル部分であり、Ｒ２は、１〜３個の炭素原子を有するアルキルおよびヒドロキシアルキル基からなるアルキル部分である。
【０１８１】
これらのスルホキシドの有用な例としては、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【０１８２】
本発明の組成物のための半極性非イオン性界面活性剤は、ジメチルアミンオキシド、例えばラウリルジメチルアミンオキシド、ミリスチルジメチルアミンオキシド、セチルジメチルアミンオキシド、それらの組み合わせなどを含む。有用な水溶性アミンオキシド界面活性剤は、オクチル、デシル、ドデシル、イソドデシル、ヤシ、またはタロウアルキルジ−（低級アルキル）アミンオキシドから選択され、それらの具体例は、オクチルジメチルアミンオキシド、ノニルジメチルアミンオキシド、デシルジメチルアミンオキシド、ウンデシルジメチルアミンオキシド、ドデシルジメチルアミンオキシド、イソ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアインオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドである。
【０１８３】
本発明の組成物と共に使用するのに好適な非イオン性界面活性剤としては、アルコキシル化界面活性剤が挙げられる。好適なアルコキシル化界面活性剤としては、ＥＯ／ＰＯコポリマー、末端処理ＥＯ／ＰＯコポリマー、アルコールアルコキシレート、末端処理アルコールアルコキシレート、それらの混合物などが挙げられる。溶媒としての使用に適したアルコキシル化界面活性剤としては、ＥＯ／ＰＯブロックコポリマー、例えば、Ｐｌｕｒｏｎｉｃおよび逆Ｐｌｕｒｏｎｉｃ界面活性剤、アルコールアルコキシレート、例えば、Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）、ならびに末端処理アルコールアルコキシレート、例えば、Ｐｌｕｒａｆａｃ  ＬＦ２２１およびＴｅｇｏｔｅｎ  ＥＣ１１、それらの混合物などが挙げられる。
【０１８４】
アニオン性界面活性剤
疎水性物質の電荷が負であるためアニオン性物質として分類される追加の界面活性物質、またはｐＨが中性以上に上昇しない限り分子の疎水性部分が電荷を持たない界面活性剤（例えば、カルボン酸）もまた、本発明において有用である。カルボキシレート、スルホネート、スルフェート、およびホスフェートは、アニオン性界面活性剤中に見られる極性（親水性）可溶化基である。これらの極性基と関連したカチオン（対イオン）のうち、ナトリウム、リチウム、およびカリウムは、水溶性を付与し、アンモニウムおよび置換アンモニウムイオンは、水溶性および油溶性の両方を提供し、カルシウム、バリウム、およびマグネシウムは、油溶性を促進する。当業者が理解するように、アニオン性物質は、優れた洗浄性界面活性剤であり、したがって重質洗剤組成物への好ましい添加物である。
【０１８５】
本組成物における使用に適したアニオン性スルフェート界面活性剤としては、アルキルエーテルスルフェート、アルキルサルフェート、直鎖および分岐第１級および第２級アルキルサルフェート、アルキルエトキシスルフェート、脂肪オレイルグリセロールスルフェート、アルキルフェノールエチレンオキシドエーテルスルフェート、Ｃ５〜Ｃ１７アシル−Ｎ−（Ｃ１〜Ｃ４アルキル）および−Ｎ−（Ｃ１〜Ｃ２ヒドロキシアルキル）グルカミンスルフェート、ならびにアルキルポリグルコシドのスルフェートのようなアルキルポリサッカリドのスルフェートなどが挙げられる。また、アルキルサルフェート、アルキルポリ（エチレンオキシ）エーテルサルフェート、ならびにエチレンオキシドおよびノニルフェノール（通常１分子当たり１〜６つのオキシエチレン基を有する）のサルフェートまたは濃縮生成物などの芳香族ポリ（エチレンオキシ）サルフェートも挙げられる。
【０１８６】
本組成物において使用するのに好適な陰イオン性スルホネート界面活性剤としてはまた、アルキルスルホネート、直鎖および分岐第１級および第２級アルキルスルホネート、ならびに置換基を有するかまたは有しない芳香族スルホネートが挙げられる。
【０１８７】
本組成物における使用に適したアニオン性カルボキシレート界面活性剤としては、カルボン酸（および塩）、例えば、アルカン酸（およびアルカノエート）、エステルカルボン酸（例えば、アルキルスクシネート）、エーテルカルボン酸、スルホン化脂肪酸、例えば、スルホン化オレイン酸などが挙げられる。そのようなカルボキシレートとしては、アルキルエトキシカルボキシレート、アルキルアリールエトキシカルボキシレート、アルキルポリエトキシポリカルボキシレート界面活性剤、および石鹸（例えば、アルキルカルボキシル）が挙げられる。本組成物において有用な第２級カルボキシレートとしては、第２級炭素に接続されたカルボキシル単位を含有するものが挙げられる。第２級炭素は、例えば、ｐ−オクチル安息香酸におけるように、またはアルキル置換シクロヘキシルカルボキシレートにおけるように、環構造にあってもよい。第２級カルボキシレート界面活性剤は、典型的には、エーテル結合、エステル結合、およびヒドロキシル基を含有しない。さらに、それらは、典型的には、頭部基（両親媒性部分）内に窒素原子を欠く。好適な第２級石鹸界面活性剤は、典型的には１１〜１３個の総炭素原子を含有するが、より多くの炭素原子（例えば、最大１６個）が存在し得る。好適なカルボキシレートとしてはまた、アシルアミノ酸（および塩）、例えば、アシルグルタメート、アシルペプチド、サルコシネート（例えば、Ｎ−アシルサルコシネート）、タウレート（例えば、Ｎ−アシルタウレート、およびメチルタウリド（ｍｅｔｈｙｌ  ｔａｕｒｉｄｅ）の脂肪酸アミド）などが挙げられる。
【０１８８】
好適なアニオン性界面活性剤は、以下の式のアルキルまたはアルキルアリールエトキシカルボキシレートを含み、
Ｒ−Ｏ−（ＣＨ２ＣＨ２Ｏ）ｎ（ＣＨ２）ｍ−ＣＯ２Ｘ  （３）
式中、Ｒは、Ｃ８〜Ｃ２２アルキル基または
【化８】
2022000512.tif 000011
であり、式中、Ｒ１は、Ｃ４〜Ｃ１６アルキル基であり、ｎは、１〜２０の整数であり、ｍは、１〜３の整数であり、Ｘは、水素、ナトリウム、カリウム、リチウム、アンモニウムなどの対イオンか、またはモノエタノールアミン、ジエタノールアミン、もしくはトリエタノールアミンなどのアミン塩である。いくつかの実施形態では、ｎは、４〜１０の整数であり、ｍは、１である。いくつかの実施形態では、Ｒは、Ｃ８〜Ｃ１６アルキル基である。いくつかの実施形態では、Ｒは、Ｃ１２〜Ｃ１４アルキル基であり、ｎは、４であり、ｍは、１である。
【０１８９】
他の実施形態では、Ｒは、
【化９】
2022000512.tif 000012
であり、Ｒ１は、Ｃ６〜Ｃ１２アルキル基である。さらにまた他の実施形態では、Ｒ１は、Ｃ９アルキル基であり、ｎは、１０であり、ｍは、１である。
【０１９０】
そのようなアルキルおよびアルキルアリールエトキシカルボキシレートは、市販されている。これらのエトキシカルボキシレートは、典型的には、酸の形態として入手可能であり、それらは、陰イオン性または塩の形態に容易に変換され得る。市販のカルボキシレートとしては、Ｎｅｏｄｏｘ  ２３−４、Ｃ１２〜１３アルキルポリエトキシ（４）カルボン酸（Ｓｈｅｌｌ  Ｃｈｅｍｉｃａｌ）、およびＥｍｃｏｌ  ＣＮＰ−１１０、Ｃ９アルキルアリールポリエトキシ（１０）カルボン酸（Ｗｉｔｃｏ  Ｃｈｅｍｉｃａｌ）が挙げられる。カルボキシレートはまた、例えば、製品Ｓａｎｄｏｐａｎ（登録商標）ＤＴＣ、Ｃ１３アルキルポリエトキシ（７）カルボン酸が、Ｃｌａｒｉａｎｔから入手可能である。
【０１９１】
両性界面活性剤
両性（Ａｍｐｈｏｔｅｒｉｃ）または両性（ａｍｐｈｏｌｙｔｉｃ）界面活性剤は、塩基性および酸性両方の親水性基、ならびに有機疎水性基を含有する。これらのイオン実体は、他の種類の界面活性剤に関して本明細書に記載されるアニオン性またはカチオン性基のいずれかであり得る。塩基性窒素および酸性カルボキシレート基は、塩基性および酸性親水性基として使用される典型的な官能基である。いくつかの界面活性剤において、スルホネート、サルフェート、ホスホネート、またはホスフェートは、負電荷を提供する。
【０１９２】
両性界面活性剤は、脂肪族ラジカルが直鎖であっても分岐鎖であってもよく、かつ脂肪族置換基のうちの１つが約８〜１８個の炭素原子を含有し、１つが、アニオン性水溶化基、例えば、カルボキシ、スルホ、スルファト（ｓｕｌｆａｔｏ）、ホスファト、またはホスホノを含有する、脂肪族第２級および第３級アミンの誘導体として広く説明され得る。両性界面活性剤は、当業者に既知の２つの主なクラスに細分され、“Ｓｕｒｆａｃｔａｎｔ  Ｅｎｃｙｃｌｏｐｅｄｉａ”Ｃｏｓｍｅｔｉｃｓ  ＆  Ｔｏｉｌｅｔｒｉｅｓ，Ｖｏｌ．１０４（２）６９−７１（１９８９）に記載されており、これは本明細書にその全体が参照により組み込まれる。第１のクラスは、アシル／ジアルキルエチレンジアミン誘導体（例えば、２−アルキルヒドロキシエチルイミダゾリン誘導体）およびそれらの塩を含む。第２のクラスは、Ｎ−アルキルアミノ酸およびそれらの塩を含む。いくつかの両性界面活性剤は、両方のクラスに当てはまることが想定され得る。
【０１９３】
両性界面活性剤は、当業者に既知の方法で合成され得る。例えば、２−アルキルヒドロキシエチルイミダゾリンは、長鎖カルボン酸（または誘導体）とジアルキルエチレンジアミンとの縮合および閉環によって合成される。商業的な両性界面活性剤は、例えば、クロロ酢酸または酢酸エチルでのアルキル化によるイミダゾリン環のその後の加水分解および開環によって誘導体化される。アルキル化中に、１または２つのカルボキシ−アルキル基が反応して、第３級アミンを形成し、異なるアルキル化剤とのエーテル結合が異なる第３級アミンを生じる。
【０１９４】
本発明における用途を有する長鎖イミダゾール誘導体は、一般的に、一般式を有し、
【化１０】
2022000512.tif 000013
式中、Ｒは、約８〜約１８個の炭素原子を含有する非環式疎水性基であり、Ｍは、アニオンの電荷を中和するためのカチオン、一般的にはナトリウムである。本組成物に使用することができる商業的に有名なイミダゾリン由来の両性物質としては、例えば、ココアンホプロピオネート、ココアンホカルボキシ−プロピオネート、ココアンホグリシネート、ココアンホカルボキシ−グリシネート、ココアンホプロピル−スルホネート、およびココアンホカルボキシ−プロピオン酸が挙げられる。アンホカルボン酸は、アンホジカルボン酸のジカルボン酸官能基がジ酢酸および／またはジプロピオン酸である脂肪イミダゾリンから生成することができる。
【０１９５】
本明細書で上述されるカルボキシメチル化化合物（グリシネート）は、しばしばベタインと呼ばれる。ベタインは、本明細書では双性イオン性界面活性剤という表題のセクションにおいて以下で論じられる、特別クラスの両性物質である。
【０１９６】
長鎖Ｎ−アルキルアミノ酸は、反応ＲＮＨ２によって容易に調製され、式中、Ｒ＝Ｃ８〜Ｃ１８直鎖または分岐鎖アルキル、ハロゲン化カルボン酸を有する脂肪族アミンである。アミノ酸の第１級アミノ基のアルキル化は、第２級アミンおよび第３級アミンをもたらす。アルキル置換基は、２つ以上の反応性窒素中心を提供する追加のアミノ基を有してもよい。最も商業的なＮ−アルキルアミン酸は、ベータ−アラニンまたはベータ−Ｎ（２−カルボキシエチル）アラニンのアルキル誘導体である。本発明における用途を有する商業的なＮ−アルキルアミノ酸両性電解質の例には、アルキルベータ−アミノジプロピオネート、ＲＮ（Ｃ２Ｈ４ＣＯＯＭ）２およびＲＮＨＣ２Ｈ４ＣＯＯＭが含まれる。一実施形態では、Ｒは、約８〜約１８個の炭素原子を含有する非環式疎水性基であり得、Ｍは、アニオンの電荷を中和するためのカチオンである。
【０１９７】
好適な両性界面活性剤には、ココナツ油またはココナツ脂肪酸などのココナツ生成物由来のものが含まれる。追加の好適なココナツ由来界面活性剤には、それらの構造の一部として、エチレンジアミン部分、アルカノールアミド部分、アミノ酸部分、例えば、グリシン、またはそれらの組み合わせ、および約８〜１８個（例えば、１２個）の炭素原子の脂肪族置換基が含まれる。そのような界面活性剤は、アルキルアンホジカルボン酸とみなすこともできる。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨと表される化学構造を含むことができる。ココアンホジプロピオン酸二ナトリウムは、１つの好適な両性界面活性剤であり、Ｒｈｏｄｉａ  Ｉｎｃ．，Ｃｒａｎｂｕｒｙ，Ｎ．Ｊ．から商品名Ｍｉｒａｎｏｌ（商標）ＦＢＳで市販されている。化学名ココアンホジ酢酸二ナトリウムを有する別の好適なココナツ由来両性界面活性剤は、同様にＲｈｏｄｉａ  Ｉｎｃ．，Ｃｒａｎｂｕｒｙ，Ｎ．Ｊ．から、商品名Ｍｉｒａｔａｉｎｅ（商標）ＪＣＨＡで販売されている。
【０１９８】
両性クラス、およびこれらの界面活性剤の種の典型的なリストは、１９７５年１２月３０日にＬａｕｇｈｌｉｎおよびＨｅｕｒｉｎｇに発行された米国特許第３，９２９，６７８号に記載されている。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に記載されている。これらの参考文献の各々は、本明細書に参照によりその全体が組み込まれる。
【０１９９】
双性イオン性界面活性剤
双性イオン性界面活性剤は、両性界面活性剤のサブセットとして考えることができ、アニオン電荷を含むことができる。双性イオン性界面活性剤は、第２級および第３級アミンの誘導体、複素環式第２級および第３級アミンの誘導体、または第４級アンモニウム、第４級ホスホニウム、もしくは第３級スルホニウム化合物の誘導体として広く記載することができる。典型的には、双性イオン性界面活性剤は、正に帯電した第４級アンモニウムまたは、いくつか場合では、スルホニウムもしくはホスホニウムイオンと、負に帯電したカルボキシル基と、アルキル基と、を含む。双性イオン性物質は、一般に、分子の等電領域においてほぼ等しい程度までイオン化し、正−負電荷中心間に強い「分子内塩」引力を発生することができるカチオン性およびアニオン性基を含有する。そのような双性イオン性合成界面活性剤の例としては、脂肪族第４級アンモニウム、ホスホニウム、およびスルホニウム化合物の誘導体が挙げられ、脂肪族ラジカルは、直鎖または分岐であり得、脂肪族置換基のうちの１つは、８〜１８個の炭素原子を含有し、１つは、アニオン性水溶化基、例えば、カルボキシ、スルホネート、スルフェート、ホスフェート、またはホスホネートを含有する。
【０２００】
ベタインおよびスルタイン界面活性剤は、本明細書における使用のための例示的な双性イオン性界面活性剤である。これらの化合物の一般式は、
【化１１】
2022000512.tif 000014
であり、式中、Ｒ１は、０〜１０個のエチレンオキシド部分および０〜１個のグリセリル部分を有する８〜１８個の炭素原子のアルキル、アルケニル、またはヒドロキシアルキルラジカルを含有し、Ｙは、窒素、リン、および硫黄原子からなる群から選択され、Ｒ２は、１〜３個の炭素原子を含有するアルキルまたはモノヒドロキシアルキル基であり、ｘは、Ｙが硫黄原子であるとき１であり、Ｙが窒素またはリン原子であるとき２であり、Ｒ３は、１〜４個の炭素原子のアルキレンまたはヒドロキシアルキレンまたはヒドロキシアルキレンであり、Ｚは、カルボキシレート、スルホネート、サルフェート、ホスホネート、およびホスフェート基からなる群から選択されるラジカルである。
【０２０１】
上記に列挙される構造を有する双性イオン性界面活性剤の例としては、４−［Ｎ，Ｎ−ジ（２−ヒドロキシエチル）−Ｎ−オクタデシルアンモニオ］−ブタン−１−カルボキシレート、５−［Ｓ−３−ヒドロキシプロピル−Ｓ−ヘキサデシルスルホニオ］−３−ヒドロキシペンタン−１−スルフェート、３−［Ｐ，Ｐ−ジエチル−Ｐ−３，６，９−トリオキサテトラコサンホスホニオ］−２−ヒドロキシプロパン−１−ホスフェート、３−［Ｎ，Ｎ−ジプロピル−Ｎ−３−ドデコシキ−２−ヒドロキシプロピル−アンモニオ］−プロパン−１−ホスホネート、３−（Ｎ，Ｎ−ジメチル−Ｎ−ヘキサデシルアンモニオ）−プロパン−１−スルホネート、３−（Ｎ，Ｎ−ジメチル−Ｎ−ヘキサデシルアンモニオ）−２−ヒドロキシ−プロパン−１−スルホネート、４−［Ｎ，Ｎ−ジ（２（２−ヒドロキシエチル）−Ｎ（２−ヒドロキシドデシル）アンモニオ］−ブタン−１−カルボキシレート、３−［Ｓ−エチル−Ｓ−（３−ドデコシキ−２−ヒドロキシプロピル）スルホニオ］−プロパン−１−ホスフェート、３−［Ｐ，Ｐ−ジメチル−Ｐ−ドデシルホスホニオ］−プロパン−１−ホスホネート、およびＳ［Ｎ，Ｎ−ジ（３−ヒドロキシプロピル）−Ｎ−ヘキサデシルアンモニオ］−２−ヒドロキシ−ペンタン−１−スルフェートが挙げられる。当該洗剤界面活性剤に含有されるアルキル基は、直鎖または分岐および飽和または不飽和であり得る。
【０２０２】
本組成物における使用に適した双性イオン性界面活性剤には、一般構造のベタインが含まれる。
【化１２】
2022000512.tif 000015
これらの界面活性剤ベタインは、典型的には、極度のｐＨで強いカチオン性またはアニオン性の特徴を示さないか、またはそれらの等電範囲内で低減した水溶性を示さない。「外部」第４級アンモニウム塩とは異なり、ベタインは、アニオン性物質と適合性がある。好適なベタインの例としては、ヤシアシルアミドプロピルジメチルベタイン、ヘキサデシルジメチルベタイン、Ｃ１２〜１４アシルアミドプロピルベタイン、Ｃ８〜１４アシルアミドヘキシルジエチルベタイン、４−Ｃ１４〜１６アシルメチルアミドジエチルアンモニオ−１−カルボキシブタン、Ｃ１６〜１８アシルアミドジメチルベタイン、Ｃ１２〜１６アシルアミドペンタンジエチルベタイン、およびＣ１２〜１６アシルメチルアミドジメチルベタインが挙げられる。
【０２０３】
本発明において有用なスルタインには、式（Ｒ（Ｒ１）２Ｎ＋Ｒ２ＳＯ３−を有する化合物が含まれ、式中、Ｒは、Ｃ６〜Ｃ１８ヒドロカルビル基であり、各Ｒ１は、典型的には独立して、Ｃ１〜Ｃ３アルキル、例えば、メチルであり、Ｒ２は、Ｃ１〜Ｃ６ヒドロカルビル基、例えば、Ｃ１〜Ｃ３アルキレンまたはヒドロキシアルキレン基である。
【０２０４】
双性イオン性クラス、およびこれらの界面活性剤の種の典型的なリストは、１９７５年１２月３０日にＬａｕｇｈｌｉｎおよびＨｅｕｒｉｎｇに発行された米国特許第３，９２９，６７８号に記載されている。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に記載されている。これらの参考文献の各々は、本明細書にその全体が組み込まれる。
【０２０５】
追加の機能性成分
洗浄組成物の成分は、殺菌および消毒用途における使用に適した様々な機能性成分とさらに組み合わせることができる。例えば、いくつかの実施形態では、その中に追加の機能性成分はほとんど、または全く投入されない。
【０２０６】
他の実施形態では、追加の機能性成分が、本組成物中に含まれてもよい。機能性成分は、組成物に所望の特性および機能性を提供する。本出願の目的のために、「機能性成分」という用語は、使用および／または濃縮溶液中に分散または溶解される場合、特定の使用において有益な特性を提供する材料を含む。機能性材料のいくつかの特定の例は、以下により詳細に述べられるが、述べられている特定の材料は、単に例として与えられており、その多様な他の機能性成分が使用されてもよい。例えば、下記に論じられる機能性材料の多くは、洗浄において使用される材料に関する。しかしながら、他の実施形態は、他の用途における使用のための機能性成分を含み得る。
【０２０７】
他の実施形態では、組成物は、消泡剤、再付着防止剤、漂白剤、溶解度調整剤、分散剤、金属保護剤、安定化剤、腐食防止剤、追加の金属イオン封鎖剤および／またはキレート剤、香料および／または染料、レオロジー調整剤または増粘剤、ヒドロトロープまたはカプラー、緩衝剤、溶媒などを含み得る。
【０２０８】
例示的な実施形態
濃縮組成物中の本発明に従った洗浄組成物の例示的な範囲を、それぞれ重量パーセントで表３に示す。
【表３】
2022000512.tif 000016
【０２０９】
本発明によると、表３に記載される濃縮洗浄組成物は、約１〜１２を含む、使用の用途のための任意の好適なｐＨを有する。しかしながら、本発明の態様によれば、濃縮溶液は、好ましくは、約０〜６を含む、その使用の特定の用途に応じた酸性〜中性ｐＨを有する。本発明の範囲を限定することなく、本明細書内に記載される数値範囲は、範囲を定義する数字を含み、定義された範囲内の各整数を含む。
【０２１０】
洗浄組成物は、濃縮組成物を含んでもよく、または使用組成物を形成するために希釈されてもよい。概して、濃縮物は、水で希釈されて、対象物に接触して所望の洗浄、すすぎなどを提供する使用溶液を提供することが意図される組成物を指す。洗浄または洗浄される物品に接触する洗浄組成物は、本発明に従った方法で使用される配合に応じて濃縮物または使用組成物（または使用溶液）と称され得る。洗剤組成物中の第４級アンモニウム化合物、酸成分、界面活性剤、および他の任意の機能性成分の濃度は、洗浄組成物が濃縮物としてまたは使用溶液として提供されるかに応じて変動するであろうことが理解されるべきである。
【０２１１】
使用溶液は、所望の洗浄特性を有する使用溶液を提供する希釈比で濃縮物を水で希釈することによって、濃縮物から調製され得る。濃縮物を希釈して使用組成物を形成するために使用される水は、希釈水または希釈剤と称され得、場所によって変動し得る。典型的な希釈係数は、およそ１〜およそ１０，０００であるが、水の硬度、除去される汚れの量などの因子に依存するであろう。一実施形態では、濃縮物は、約１：１０〜約１：１０，０００の濃縮物対水の比で希釈される。具体的には、濃縮物は、約１：１００〜約１：５，０００の濃縮物対水の比で希釈される。より具体的には、濃縮物は、約１：２５０〜約１：２，０００の濃縮物対水の比で希釈される。
【０２１２】
製造方法
本発明の組成物は、材料の添加によって調製される。アニオン性界面活性剤が、第４級アンモニウムに添加される。第４級アンモニウム化合物は、最小限の撹拌で、または撹拌なしで、より疎水性の有機酸を溶液に容易にカップリングさせる。
【０２１３】
いくつかの態様において、本発明による組成物は、一般的に入手可能な容器およびブレンド機器を用いて、水性希釈剤中で成分を組み合わせることによって作製することができる。有益には、第４級アンモニウム化合物およびアニオン性界面活性剤を使用する組成物を作製するために特別な製造設備は必要ない。本発明の洗浄組成物を製造するための好ましい方法は、成分を撹拌された生成容器に導入することを含む。
【０２１４】
本発明による洗浄組成物は、単回使用または複数回使用組成物で提供することができる。好ましい態様において、組成物は、濃縮液体組成物である。
【０２１５】
本発明の洗浄組成物を使用する方法
本発明は、本発明の洗浄組成物を様々な用途に使用する方法を含む。本発明は、微生物集団を低減するための方法、皮膚上の微生物の集団を低減するための方法、および皮膚の疾患を治療するための方法を含む。これらの方法は、物品、表面、体、またはストリームを本発明の組成物と接触させることによって、物品上、表面上、体内、または水もしくはガスのストリーム中などで効果を表すことができる。接触は、組成物をスプレーすること、組成物中に物品を浸漬すること、物品を化合物もしくは組成物でフォームもしくはゲル処理すること、またはそれらの組み合わせなど、本発明の組成物を適用するための多数の方法のいずれかを含むことができる。
【０２１６】
いくつかの実施形態において、本発明の組成物は、Ｓａｌｍｏｎｅｌｌａ  ｔｙｐｈｉｍｕｒｉｕｍ、Ｓｔａｐｈｙｌｏｃｏｃｃｕｓ  ａｕｒｅｕｓ、メチシリン耐性Ｓｔａｐｈｙｌｏｃｏｃｃｕｓ  ａｕｒｅｕｓ、Ｓａｌｍｏｎｅｌｌａ  ｃｈｏｌｅｒａｅｓｕｒｕｓ、Ｐｓｅｕｄｏｍｏｎａｓ  ａｅｒｕｇｉｎｏｓａ、Ｅｓｃｈｅｒｉｃｈｉａ  ｃｏｌｉ、マイコバクテリア、酵母、およびカビが挙げられるが、これらに限定されない、保健医療表面および環境と関連する病原性細菌のうちの１つ以上を殺滅することを含む。本発明の組成物は、グラム陽性（例えば、Ｌｉｓｔｅｒｉａ  ｍｏｎｏｃｙｔｏｇｅｎｅｓまたはＳｔａｐｈｙｌｏｃｏｃｃｕｓ  ａｕｒｅｕｓ）およびグラム陰性（例えば、Ｅｓｃｈｅｒｉｃｈｉａ  ｃｏｌｉまたはＰｓｅｕｄｏｍｏｎａｓ  ａｅｒｕｇｉｎｏｓａ）細菌、酵母、カビ、細菌胞子、ウイルスなどのような多種多様な微生物に対する活性を有する。本発明の化合物および組成物は、上記のように、多種多様なヒト病原体に対する活性を有する。本化合物および組成物は、食品加工表面上、食品製品の表面上、食品製品の洗浄もしくは加工のために使用される水中、保健医療表面上、または保健医療環境中で多種多様な微生物を殺滅することができる。
【０２１７】
本発明の方法は、対象または処理された対象組成物の中および／または上の微生物集団の任意の好適な低減を達成するのに使用できる。いくつかの実施形態において、本発明の方法は、少なくとも１ｌｏｇ１０で対象または処理された対象組成物の中および／または上の微生物集団を低減するのに使用できる。他の実施形態において、本発明の方法は、少なくとも２ｌｏｇ１０で対象または処理された対象組成物の中および／または上の微生物集団を低減するのに使用できる。さらに他の実施形態において、本発明の方法は、少なくとも３ｌｏｇ１０で対象または処理された対象組成物の中および／または上の微生物集団を低減するのに使用できる。さらに他の実施形態において、本発明の方法は、少なくとも５ｌｏｇ１０で対象または処理された対象組成物の中および／または上の微生物集団を低減するのに使用できる。本発明の範囲を限定することなく、本明細書内に記載される数値範囲は、範囲を定義する数字を含み、定義された範囲内の各整数を含む。
【０２１８】
本発明の組成物は、様々な家庭または工業用途に、例えば、表面上もしくは対象物上または体内もしくは水のストリーム中で微生物またはウイルス集団を低減するために、使用することができる。化合物は、キッチン、バスルーム、工場、病院、歯科医院、および食品工場を含む様々な領域で適用することができ、滑らか、不規則、または多孔質なトポグラフィーを有する様々な硬または軟表面に適用することができる。好適な硬表面としては、例えば、建築表面（例えば、床、壁、窓、シンク、テーブル、カウンター、および標識）、食事用具、硬表面医療または手術器具および装置、ならびに硬表面包装が挙げられる。そのような硬表面は、例えば、セラミック、金属、ガラス、木材、または硬質プラスチックを含む様々な材料から作製することができる。好適な軟表面としては、例えば、紙、濾過媒体、病院および手術リネンおよび衣類、軟表面医療または手術器具および装置、ならびに軟表面包装が挙げられる。そのような軟表面は、例えば、紙、繊維、織布または不織布、軟質プラスチック、およびエラストマーを含む様々な材料から作製することができる。本発明の組成物はまた、食品および皮膚（例えば、手）などの軟表面に適用することができる。本化合物は、発泡性または非発泡性環境消毒剤または殺菌剤として使用することができる。
【０２１９】
本発明の組成物は、滅菌剤、消毒剤（ｓａｎｉｔｉｚｅｒ）、殺菌剤、防腐剤、消臭剤、消毒剤（ａｎｔｉｓｅｐｔｉｃ）、殺真菌剤、殺菌剤（ｇｅｒｍｉｃｉｄｅ）、殺胞子剤、殺ウイルス剤、洗剤、漂白剤、硬表面洗浄剤、ハンドソープ、水なし手指消毒剤、潤滑剤、すすぎ補助剤、２イン１および／または３イン１製品、例えば、殺虫剤／洗浄剤／消毒剤、３シンク用途、ならびに手術前または手術後スクラブなどの製品に含めることができる。
【０２２０】
組成物はまた、哺乳動物の皮膚治療などの獣医療製品、または動物のエンクロージャー、ペン、給水ステーション、ならびに検査台および手術室などの獣医学治療領域を消毒または殺菌するための製品において使用することができる。本組成物は、家畜または人々のための抗微生物足浴において使用することができる。
【０２２１】
いくつかの態様において、本発明の組成物は、病原性微生物、例えば、ヒト、動物などの病原体の集団を低減するために使用することができる。化合物は、真菌、カビ、細菌、胞子、およびウイルス、例えば、Ｓ．ａｕｒｅｕｓ、Ｅ．ｃｏｌｉ、Ｓｔｒｅｐｔｏｃｏｃｃｉ、Ｌｅｇｉｏｎｅｌｌａ、Ｐｓｅｕｄｏｍｏｎａｓ  ａｅｒｕｇｉｎｏｓａ、マイコバクテリア、結核菌、ファージなどを含む病原体に対する活性を示す。そのような病原体は、乳腺炎または他の哺乳動物の搾乳疾患、結核などを含む、様々な疾患および障害を引き起こし得る。本発明の組成物は、動物の皮膚または他の外部もしくは粘膜表面上の微生物の集団を低減することができる。加えて、本化合物は、水、空気、または表面基材による伝播を通して拡散する病原性微生物を殺滅することができる。組成物は、動物の皮膚、他の外部もしくは粘膜表面、水、空気、または表面に適用されさえすればよい。
【０２２２】
洗浄組成物はまた、表面微生物集団を低減するために食品および植物種に使用、そのような食品および植物種を取り扱う製造もしくは加工現場で使用、またはそのような現場周辺のプロセス水を処理するために使用することができる。例えば、化合物は、食品輸送ライン（例えば、ベルトスプレーとして）、靴および手指洗浄ディップパン、食品貯蔵施設、損傷防止空気循環システム、冷蔵およびクーラー設備、飲料チラーおよびウォーマー、ブランチャー、カッティングボード、第３シンク領域、ならびに肉チラーまたは煮沸消毒装置に使用することができる。本発明の組成物は、フリューム、パイプ輸送、カッター、スライサー、ブランチャー、レトルトシステム、ウォッシャーなどに見られるような農産物輸送水を処理するために使用することができる。本発明の化合物で処理することができる特定の食料品としては、卵、肉、種子、葉、果物、および野菜が挙げられる。特定の植物表面としては、収穫されたものおよび成長しているものの両方の葉、根、種子、皮または殻、茎、柄、塊茎、球茎、果実などが挙げられる。
【０２２３】
いくつかの態様において、本発明の組成物は、食品サービスまたは食品加工産業における容器、加工施設、または設備の洗浄または消毒に有用である。組成物は、食品包装材料および設備への使用について、ならびに特に低温または高温滅菌包装について特定の価値を有する。本発明の化合物を使用することができるプロセス施設の例としては、乳製品製造所、連続醸造システム、食品加工ライン、例えば、ポンプ可能な食品システムおよび飲料ラインなどが挙げられる。食品サービスウェアは、本発明の化合物で殺菌することができる。例えば、化合物はまた、ウェア洗浄機、低温ウェア洗浄機、食器類、ボトル洗浄機、ボトルチラー、ウォーマー、第３シンク洗浄機、カッティング領域（例えば、ウォーターナイフ、スライサー、カッター、および鋸）、ならびに卵洗浄機上またはその中で使用することができる。特定の処理可能な表面としては、カートン、ボトル、フィルム、および樹脂などの包装；グラス、プレート、器具、ポット、およびパンなどの食器類；ウェア洗浄および低温ウェア洗浄機；シンク、カウンター、テーブル、床、および壁などの露出した食品調理領域表面；タンク、バット、ライン、ポンプ、およびホースなどの加工設備（例えば、ミルク、チーズ、アイスクリーム、および他の乳製品を加工するための乳製品加工設備）；輸送車両が挙げられる。容器としては、ガラスボトル、ＰＶＣまたはポリオレフィンフィルム袋、缶、ポリエステル、様々な体積（１００ｍＬ〜２リットルなど）のＰＥＮまたはＰＥＴボトル、１ガロンミルク容器、板紙ジュースまたはミルク容器などが挙げられる。
【０２２４】
本発明の組成物はまた、食品加工設備を使用溶液に浸漬し、設備を消毒するのに十分な時間にわたって設備を浸漬し、過剰な溶液を設備から拭き取りまたは排出することによって、使用することができる。化合物は、食品加工表面を使用溶液でスプレーまたは拭き取り、表面を消毒するのに十分な時間にわたって表面を湿った状態に保持、および拭き取り、垂直排出、真空化などにより過剰な溶液を除去することによって、さらに使用され得る。
【０２２５】
本発明の組成物はまた、施設タイプの設備、器具、食器類、保健医療設備または用具、器具、および他の硬表面などの硬表面を消毒する方法で使用され得る。
【０２２６】
洗浄組成物は、様々な方法を使用して、微生物にまたは汚染もしくは洗浄表面に適用することができる。これらの方法は、対象物、表面、体、またはストリームを本発明の化合物と接触させることによって、対象物上、表面上、体内、または水もしくはガスのストリーム中などで効果を表すことができる。接触は、化合物をスプレーすること、対象物を浸漬すること、対象物を化合物でフォームもしくはゲル処理すること、またはそれらの組み合わせなど、化合物を適用するための多数の方法のいずれかを含むことができる。
【０２２７】
本発明の化合物の濃縮物または使用濃縮物は、対象物に抗微生物または洗浄化合物を適用するための任意の従来の方法または機器によって、対象物に適用する、または接触させることができる。例えば、対象物は、化合物、または組成物から作製された使用溶液で拭き取り、スプレー、その上で発泡、および／またはその中に浸漬することができる。組成物は、表面上でスプレー、発泡、もしくは拭き取りすることができ、組成物は、表面上で流動させることができ、または表面は、組成物中に浸漬することができる。接触は、手動または機械によるものであり得る。食品加工表面、食品製品、食品加工または輸送水などは、本発明による液体、フォーム、ゲル、エアロゾル、ガス、ワックス、固体、もしくは粉末安定化化合物、またはこれらの化合物を含有する溶液で処理することができる。
【０２２８】
本発明に従った様々な処理方法は、任意の好適なレベルの洗浄組成物の使用を含むことができる。いくつかの実施形態において、処理された対象組成物は、使用のために希釈される場合、約１ｐｐｍ〜約１０００ｐｐｍの洗浄組成物を含む。さらなる実施形態において、処理された対象組成物は、使用のために希釈される場合、約１ｐｐｍ〜約５００ｐｐｍ、５ｐｐｍ〜約４００ｐｐｍ、１０ｐｐｍ〜約１００ｐｐｍ、２０ｐｐｍ〜約１００ｐｐｍ、２５ｐｐｍ〜約１００ｐｐｍ、１０ｐｐｍ〜約７５ｐｐｍ、２０ｐｐｍ〜約７５ｐｐｍ、２５ｐｐｍ〜約７５ｐｐｍ、または約５０ｐｐｍの洗浄組成物を含む。
【０２２９】
一態様では、本発明の方法は、本発明の濃縮固体または液体組成物から使用溶液を生成することを含む。使用溶液は、所望の消毒および／または他の抗微生物特性を有する使用溶液を提供する希釈比で濃縮物を水で希釈することによって、濃縮物から調製され得る。濃縮物を希釈して使用組成物を形成するために使用される水は、希釈水または希釈剤と称され得、場所によって変動し得る。典型的な希釈率は、約１〜約１０，０００の間である。一実施形態では、濃縮物は、約１：１０〜約１：１０，０００の濃縮物対水の比で希釈される。具体的には、濃縮物は、約１：１００〜約１：５，０００の濃縮物対水の比で希釈される。より具体的には、濃縮物は、約１：２５０〜約１：２，０００の濃縮物対水の比で希釈される。
【０２３０】
一態様において、濃縮洗浄組成物は、約０．００１％（重量／体積）〜約１０％（重量／体積）、または約０．００１％（重量／体積）〜約５％（重量／体積）、または約０．００１％（重量／体積）〜約２％（重量／体積）、または約０．０１％（重量／体積）〜約１％（重量／体積）の使用溶液濃度に希釈される。本発明の範囲を限定することなく、本明細書内に記載される数値範囲は、範囲を定義する数字を含み、定義された範囲内の各整数を含む。
【０２３１】
本発明の組成物は、そのままで、または溶媒もしくは固体濃縮物としての使用のために配合および販売することができる。所望に応じて、そのような濃縮物は、消毒すすぎ組成物としてそのままの濃度で使用することができる。しかしながら、濃縮物は、典型的には、流体（例えば、水）で希釈され、その後希釈相または使用溶液を形成するであろう。好ましくは、濃縮物は、そのような希釈前に単相を形成し、それが販売される容器中に貯蔵されている間はそのままである。適切な希釈レベルで水または他の所望の希釈流体と組み合わされ、穏やかな撹拌（例えば、組成物の撹拌またはポンピングによる）に供される場合、本発明のいくつかの組成物は、擬似安定分散物を形成し、本発明の他の組成物は、透明または準安定溶液または分散物を形成するであろう。擬似安定組成物が形成される場合、組成物を相分離の開始前に表面に適用することができるように、組成物は、好ましくは十分に長い期間にわたって擬似安定状態のままである。擬似安定状態は、スプレーのような好適に急速な適用技法が使用される場合、または適用中の撹拌が使用される場合、数秒間だけ継続すればよい。擬似安定状態は、望ましくは、混合後少なくとも１分間以上かつ組成物が好適な容器に貯蔵される間継続し、好ましくは混合後５分間以上継続する。多くの場合、アプリケーターの通常の補充または補給（例えば、アプリケーターを組成物に浸漬することによる）は、適用中に組成物の擬似安定状態を保存するのに十分な撹拌を提供するであろう。
【０２３２】
本明細書に記載される使用の様々な用途は、表面および／または水源に対して洗浄組成物を提供する。有益には、本発明の組成物は、即効性である。しかしながら、本方法は、十分な抗微生物効果の発生のために、組成物と処理を必要とする表面または製品との一定の最小限の接触時間を必要とする。接触時間は、使用組成物の濃度、使用組成物の適用方法、使用組成物の温度、使用組成物のｐＨ、処理される表面または製品の量、処理される表面または製品上／中の汚染または基材の量などで変動し得る。接触または曝露時間は、約１５秒、少なくとも約１５秒、約３０秒、または３０秒より大きくあり得る。いくつかの実施形態において、曝露時間は、約１〜５分である。他の実施形態において、曝露時間は、数分〜数時間である。他の実施形態において、曝露時間は、数時間〜数日である。接触時間は、本発明による組成物の活性分質の使用濃度に基づいてさらに変動するであろう。
【０２３３】
使用の用途のためのキット
本発明による組成物の様々な用途によれば、本発明による組成物を投与するためのキットが提供され得る。特定の用途において、組成物は、本発明の実施形態によるキットを使用することによって提供され得る。本発明による洗浄組成物を投与および／または提供するためのキットは、洗浄成分およびポリマー成分（および／または界面活性剤および／または酸成分）を含む、それらからなる、および／または本質的にそれらからなり得る。あるいは、キットは、使用の用途において洗浄成分と共に投与するためのポリマー成分（および／または界面活性剤および／または酸成分）を含み、それからなり、および／または本質的にそれからなり得る。キットは、測定手段および／または投与手段をさらに含み得る。
【０２３４】
キットは、追加の要素をさらに含み得る。例えば、キットはまた、洗浄組成物の使用のための説明書を含み得る。キットに含まれる説明書は、包装材料に貼付することができ、または添付文書として含めることができる。説明書は、典型的には書面または印刷物であるが、そのようなものに限定されない。そのような説明書を記憶し、それらを最終使用者に伝達することができる任意の媒体が、本開示によって企図される。そのような媒体としては、電子記憶媒体（例えば、磁気ディスク、テープ、カートリッジ、チップ）、光学媒体（例えば、ＣＤ、ＤＶＤ）などが挙げられるが、これらに限定されない。本明細書で使用されるとき、「説明書」という用語は、説明書を提供するインターネットサイトのアドレスを含むことができる。キットの様々な成分は、必要に応じて好適な容器、例えば、ボトル、ジャー、またはバイアル中で任意に提供される。
【０２３５】
本明細書における全ての刊行物および特許出願は、本発明が関連する技術分野における通常の技術レベルを示している。全ての刊行物および特許出願は、個々の刊行物または特許出願が参照により組み込まれるように具体的かつ個別に示されているのと同程度に、参照により本明細書に組み込まれる。
【実施例】
【０２３６】
本発明の実施形態を、以下の非限定的な実施例においてさらに定義する。これらの実施例は、本発明の特定の実施形態を示してはいるが、単に例証として付与されることが理解されるべきである。上記の考察およびこれらの実施例から、当業者は、本発明の本質的な特徴を確認し得、その精神および範囲から逸脱することなく、様々な利用法および条件にそれを適合するために本発明の実施形態の様々な変更および修正を行い得る。したがって、本発明の実施形態の様々な修正は、本明細書に図示および説明されるものに加えて、前述の説明から当業者に明らかとなろう。かかる修正もまた、添付の特許請求の範囲の範疇であることが意図される。市販製品Ａは、以下の原料を含むように配合される。
【０２３７】
以下の実施例で使用される材料が、本明細書で提供される。
●市販製品Ａ：アルキルベンジルアンモニウムクロリドおよびジアルキルジメチルアンモニウムクロリドの混合物
●ポリマー成分Ａ：カチオン性凝集剤
●市販製品Ｂ：アルキルベンジルアンモニウムクロリドおよびジアルキルジメチルアンモニウムクロリドの混合物
【０２３８】
実施例１
ポリマーの添加ありおよびなしでの市販の第４級アンモニウムクロリドのスプレーパターンに関する比較研究。試験組成物を表４に示す。組成物Ａは本発明に従って配合される。
【表４】
2022000512.tif 000017
【０２３９】
スプレーパターン比較からの結果は、本発明による配合物が、広いスプレーパターンを有する微細ミストとは対照的に、広いスプレーパターンを有するストリームを提供することを示した。したがって、ポリマー成分の存在は、ミスト化粒子を低減し、それによって吸入リスクを低減する。
【０２４０】
実施例２
市販のｑｕａｔ消毒剤を、特許請求される本発明による組成物に対して試験した。試験を、５００ｐｐｍ硬度を有する水中で７７°Ｆの温度で実施した。Ｅ．ｃｏｌｉおよびＳｔａｐｈで汚染された試料を、組成物のそれぞれと３０秒間接触させた。組成物Ｂは、本発明に従って配合される。結果を表５に示す。
【表５】
2022000512.tif 000018
【０２４１】
表５に示される結果から、ポリマー成分を含めることは、微生物有効性に悪影響を与えない。ポリマー成分を含めることは、低減したミスト化プロファイルを提供し、処理される表面上にｑｕａｔがより長く残る。そのようなものとして、ポリマー成分の添加は、改良された残留殺滅をもたらす。
【０２４２】
本発明はこのように説明されているが、これは多くの方法で変動し得ることは明らかであろう。かかる変動は、本発明の精神および範囲からの逸脱とみなされるべきではなく、全てのかかる修正は、以下の特許請求の範囲の範疇に含まれることが意図される。上記の明細書は、開示される組成物および方法の製造および使用の説明を提供する。本発明の趣旨および範囲から逸脱することなく多くの実施形態が作られ得るため、本発明は、特許請求の範囲の中にある。
【手続補正書】
【提出日】令和3年9月28日(2021.9.28)
【手続補正１】
【補正対象書類名】明細書
【補正対象項目名】０２４２
【補正方法】変更
【補正の内容】
【０２４２】
本発明はこのように説明されているが、これは多くの方法で変動し得ることは明らかであろう。かかる変動は、本発明の精神および範囲からの逸脱とみなされるべきではなく、全てのかかる修正は、以下の特許請求の範囲の範疇に含まれることが意図される。上記の明細書は、開示される組成物および方法の製造および使用の説明を提供する。本発明の趣旨および範囲から逸脱することなく多くの実施形態が作られ得るため、本発明は、特許請求の範囲の中にある。以下、本発明の実施形態の例を列記する。
［１］
殺菌剤、消毒剤、抗微生物化合物、またはそれらの組み合わせを含む洗浄成分と、
ポリマー成分であって、前記ポリマーが、高分子量カチオン性、非イオン性、またはアニオン性ポリマーである、ポリマー成分と、を含む、濃縮洗浄組成物。
［２］
前記洗浄成分が、第４級アンモニウム化合物、酸消毒剤、酸化剤、アミン、またはそれらの組み合わせである、項目１に記載の洗浄組成物。
［３］
前記ポリマー成分が、逆エマルジョンポリマー、分散ポリマー、粉末ポリマー、キサンタンガム、またはそれらの組み合わせである、項目１又は２に記載の洗浄組成物。
［４］
前記洗浄成分が、第４級アンモニウム化合物であり、前記ポリマー成分が、高分子量カチオン性もしくはアニオン性逆エマルジョンポリマー、高分子量カチオン性もしくはアニオン性分散ポリマー、または高分子量カチオン性もしくはアニオン性粉末ポリマーである、項目１〜３のいずれか一項に記載の洗浄組成物。
［５］
前記洗浄成分が、酸消毒剤であり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、項目１〜３のいずれか一項に記載の洗浄組成物。
［６］
前記洗浄成分が、酸化剤であり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、項目１〜３のいずれか一項に記載の洗浄組成物。
［７］
前記洗浄成分が、アミンであり、前記ポリマー成分が、高分子量カチオン性、アニオン性、もしくは非イオン性逆エマルジョンポリマー、高分子量カチオン性、アニオン性、もしくは非イオン性分散ポリマー、高分子量カチオン性、アニオン性、もしくは非イオン性粉末ポリマー、またはキサンタンガムである、項目１〜３のいずれか一項に記載の洗浄組成物。
［８］
前記ポリマー成分が、１００万Ｄａ〜２５００万Ｄａの分子量、０．１〜１０ミクロンの範囲の粒径、および５０〜５０００ｃＰｓの粘度を有する、項目１〜７のいずれか一項に記載の洗浄組成物。
［９］
酸成分をさらに含み、前記酸成分が、約０．１重量％〜約３０重量％の量で存在し、前記酸成分が、洗浄組成物が０〜６のｐＨを有するようなｐＨ制御を提供する、項目１〜８のいずれか一項に記載の洗浄組成物。
［１０］
少なくとも１つのアニオン性界面活性剤、非イオン性界面活性剤、両性界面活性剤、またはそれらの組み合わせをさらに含み、前記少なくとも１つの界面活性剤が、約０．１重量％〜約３０重量％の量で存在する、項目１〜９のいずれか一項に記載の洗浄組成物。
［１１］
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含む、項目１〜１０のいずれか一項に記載の洗浄組成物。
［１２］
前記組成物が、低減した吸入リスクを提供しながら、処理された表面上で少なくとも４ｌｏｇの殺滅を提供する、項目１〜１１のいずれか一項に記載の洗浄組成物。
［１３］
前記組成物が、低減した吸入リスクを提供し、前記組成物の中央粒径が、約１１ミクロン以上である、項目１〜１２のいずれか一項に記載の洗浄組成物。
［１４］
以下の式を有する第４級アンモニウム化合物であって、
【化１】
2022000512.tif 000020
式中、Ｒ１、Ｒ２、Ｒ３、およびＲ４基が、各々Ｃ２０未満の鎖長を有し、Ｘ−が、アニオン性対イオンである、第４級アンモニウム化合物と、
高分子量カチオン性または非イオン性ポリマーである、ポリマー成分と、を含む、洗浄組成物であって、
すぐに使える溶液または水溶性濃縮物のいずれかであり、約０〜約６のｐＨを有する、洗浄組成物。
［１５］
前記第４級アンモニウム化合物が、モノアルキルトリメチルアンモニウム塩、モノアルキルジメチルベンジルアンモニウム塩、ジアルキルジメチルアンモニウム塩、ヘテロ芳香族アンモニウム塩、多置換第４級アンモニウム塩、ビス第４級アンモニウム塩、ポリマー第４級アンモニウム塩、およびそれらの組み合わせからなる群から選択される、項目１４に記載の洗浄組成物。
［１６］
前記第４級アンモニウム化合物が、約１重量％〜約５０重量％の量で存在する、項目１４又は１５に記載の洗浄組成物。
［１７］
前記ポリマー成分が、１００万Ｄａ〜２５００万Ｄａの分子量、０．１〜１０ミクロンの範囲の粒径、および５０〜５０００ｃＰｓの粘度を有する、項目１４〜１６のいずれか一項に記載の洗浄組成物。
［１８］
前記ポリマー成分が、アクリルアミド、メタクリルアミド、アクリル酸もしくはその塩、Ｎ−ｔ−ブチルアクリルアミドスルホン酸（ＡＴＢＳ）もしくはその塩、アクリルアミド第３級ブチルスルホン酸もしくはその塩、２−（アクリロイルオキシ）−Ｎ，Ｎ，Ｎ−トリメチルエタンアンミニウム（ＤＭＡＥＡ．ＭＣＱ）、ジアリルジメチルアンモニウムクロリド、ジメチルアミノエチルアクリレートメチルクロリド第４級塩、アクリルアミドプロピルトリメチルアンモニウムクロリド、ジメチルアミノエチルメタクリレートメチルクロリド第４級塩、メタクリルアミドプロピルトリメチルアンモニウムクロリド、またはそれらの組み合わせである、項目１４〜１７のいずれか一項に記載の洗浄組成物。
［１９］
酸成分をさらに含み、前記酸成分が、約０．１重量％〜約３０重量％の量で存在し、洗浄組成物が０〜６のｐＨを有するようなｐＨ制御を提供する、項目１４〜１８のいずれか一項に記載の洗浄組成物。
［２０］
少なくとも１つのアニオン性界面活性剤、非イオン性界面活性剤、両性界面活性剤、またはそれらの組み合わせをさらに含み、前記少なくとも１つの界面活性剤が、約０．１重量％〜約３０重量％の量で存在する、項目１４〜１９のいずれか一項に記載の洗浄組成物。
［２１］
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、ｐＨ調整成分、香料および／または染料、ヒドロトロープまたはカプラー、緩衝剤、ならびにそれらの組み合わせからなる群から選択される少なくとも１つの追加の機能性成分をさらに含む、項目１４〜２０のいずれか一項に記載の洗浄組成物。
［２２］
前記組成物が、低減した吸入リスクを提供しながら、処理された表面上で少なくとも４ｌｏｇの殺滅を提供する、項目１４〜２１のいずれか一項に記載の洗浄組成物。
［２３］
前記組成物が、低減した吸入リスクを提供し、前記組成物の中央粒径が、約１１ミクロン以上である、項目１４〜２２のいずれか一項に記載の洗浄組成物。
［２４］
微生物を殺滅する方法であって、
基材に項目１〜２３のいずれか一項に記載の洗浄組成物を適用することを含み、
前記組成物が、低減した吸入リスクを提供しながら、処理された表面上で少なくとも４ｌｏｇの殺滅を提供する、方法。
【手続補正２】
【補正対象書類名】特許請求の範囲
【補正対象項目名】全文
【補正方法】変更
【補正の内容】
【特許請求の範囲】
【請求項１】
第４級アンモニウム化合物を含む、洗浄成分と、
１００万Ｄａ〜２５００万Ｄａの分子量を有する高分子量カチオン性逆エマルジョンポリマーである、ポリマー成分と、を含む、濃縮洗浄組成物であって、
前記組成物が、低減した吸入リスクを提供しながら、Ａ．Ｏ．Ａ．Ｃ使用希釈法、公式分析化学協会の公式分析法、段落９５５．１４及び該当箇所、第１５版、１９９０年（ＥＰＡガイドライン９１−２）に記載される手順を用いて、処理された表面上で、Ｅｓｃｈｅｒｉｃｈｉａ  ｃｏｌｉ及びＳｔａｐｈｙｌｏｃｏｃｃｕｓ  ａｕｒｅｕｓに対して、室温２５±２℃で３０秒間以内に、少なくとも９９．９９％の微生物数の減少を提供する、濃縮洗浄組成物。
【請求項２】
前記ポリマー成分が、０．１〜１０ミクロンの範囲の粒径、および５０〜５０００ｃＰｓの粘度を有する、請求項１に記載の洗浄組成物。
【請求項３】
酸成分をさらに含み、前記酸成分が、前記濃縮洗浄組成物の全重量を基準として、０．１重量％〜３０重量％の量で存在し、前記酸成分が、洗浄組成物が０〜６のｐＨを有するようなｐＨ制御を提供する、請求項１又は２に記載の洗浄組成物。
【請求項４】
少なくとも１つのアニオン性界面活性剤、非イオン性界面活性剤、両性界面活性剤、またはそれらの組み合わせをさらに含み、前記少なくとも１つの界面活性剤が、前記濃縮洗浄組成物の全重量を基準として、０．１重量％〜３０重量％の量で存在する、請求項１〜３のいずれか一項に記載の洗浄組成物。
【請求項５】
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、香料および／または染料、ヒドロトロープまたはカプラー、緩衝剤、ならびにそれらの組み合わせからなる群から選択される少なくとも１つの追加の機能性成分をさらに含む、請求項１〜４のいずれか一項に記載の洗浄組成物。
【請求項６】
前記組成物が、低減した吸入リスクを提供し、前記組成物の中央粒径が、１１ミクロン以上である、請求項１〜５のいずれか一項に記載の洗浄組成物。
【請求項７】
以下の式を有する第４級アンモニウム化合物であって、
【化１】
2022000512.tif 000021
式中、Ｒ１、Ｒ２、Ｒ３、およびＲ４基が、各々Ｃ２０未満の鎖長を有し、Ｘ−が、アニオン性対イオンである、第４級アンモニウム化合物と、
１００万Ｄａ〜２５００万Ｄａの分子量を有する高分子量カチオン性逆エマルジョンポリマーである、ポリマー成分と、を含む、洗浄組成物であって、
すぐに使える溶液または水溶性濃縮物のいずれかであり、０〜６のｐＨを有し、
前記組成物が、低減した吸入リスクを提供しながら、Ａ．Ｏ．Ａ．Ｃ使用希釈法、公式分析化学協会の公式分析法、段落９５５．１４及び該当箇所、第１５版、１９９０年（ＥＰＡガイドライン９１−２）に記載される手順を用いて、処理された表面上で、Ｅｓｃｈｅｒｉｃｈｉａ  ｃｏｌｉ及びＳｔａｐｈｙｌｏｃｏｃｃｕｓ  ａｕｒｅｕｓに対して、室温２５±２℃で３０秒間以内に、少なくとも９９．９９％の微生物数の減少を提供する、洗浄組成物。
【請求項８】
前記第４級アンモニウム化合物が、モノアルキルトリメチルアンモニウム塩、モノアルキルジメチルベンジルアンモニウム塩、ジアルキルジメチルアンモニウム塩、ヘテロ芳香族アンモニウム塩、多置換第４級アンモニウム塩、ビス第４級アンモニウム塩、ポリマー第４級アンモニウム塩、およびそれらの組み合わせからなる群から選択される、請求項７に記載の洗浄組成物。
【請求項９】
前記第４級アンモニウム化合物が、前記水溶性濃縮物の形態の前記洗浄組成物の全重量を基準として、１重量％〜５０重量％の量で存在する、請求項７又は８に記載の洗浄組成物。
【請求項１０】
前記ポリマー成分が、０．１〜１０ミクロンの範囲の粒径、および５０〜５０００ｃＰｓの粘度を有する、請求項７〜９のいずれか一項に記載の洗浄組成物。
【請求項１１】
酸成分をさらに含み、前記酸成分が、前記水溶性濃縮物の形態の前記洗浄組成物の全重量を基準として、０．１重量％〜３０重量％の量で存在し、洗浄組成物が０〜６のｐＨを有するようなｐＨ制御を提供する、請求項７〜１０のいずれか一項に記載の洗浄組成物。
【請求項１２】
少なくとも１つのアニオン性界面活性剤、非イオン性界面活性剤、両性界面活性剤、またはそれらの組み合わせをさらに含み、前記少なくとも１つの界面活性剤が、前記水溶性濃縮物の形態の前記洗浄組成物の全重量を基準として、０．１重量％〜３０重量％の量で存在する、請求項７〜１１のいずれか一項に記載の洗浄組成物。
【請求項１３】
追加の界面活性剤、増粘剤および／または粘度調整剤、溶媒、溶解度調整剤、湿潤剤、金属保護剤、安定化剤、腐食防止剤、金属イオン封鎖剤および／またはキレート剤、凝固剤、被覆剤、香料および／または染料、ヒドロトロープまたはカプラー、緩衝剤、ならびにそれらの組み合わせからなる群から選択される少なくとも１つの追加の機能性成分をさらに含む、請求項７〜１２のいずれか一項に記載の洗浄組成物。
【請求項１４】
前記組成物が、低減した吸入リスクを提供し、前記組成物の中央粒径が、１１ミクロン以上である、請求項７〜１３のいずれか一項に記載の洗浄組成物。
【請求項１５】
微生物を殺滅する方法であって、
基材に請求項１〜１４のいずれか一項に記載の洗浄組成物を適用することを含み、
前記組成物が、低減した吸入リスクを提供しながら、Ａ．Ｏ．Ａ．Ｃ使用希釈法、公式分析化学協会の公式分析法、段落９５５．１４及び該当箇所、第１５版、１９９０年（ＥＰＡガイドライン９１−２）に記載される手順を用いて、処理された表面上で、Ｅｓｃｈｅｒｉｃｈｉａ  ｃｏｌｉ及びＳｔａｐｈｙｌｏｃｏｃｃｕｓ  ａｕｒｅｕｓに対して、室温２５±２℃で３０秒間以内に、少なくとも９９．９９％の微生物数の減少を提供する、方法。
【外国語明細書】
2022000512000001.pdf